(57)【要約】【課題】無線ＬＡＮアクセスポイント装置（無線ＬＡＮ−ＡＰ）に無線接続する無線ＬＡＮステーション装置（無線ＬＡＮ−ＳＴＡ）の通信可能性の低下を抑制する。【解決手段】無線ＬＡＮ−ＡＰは、設置状態の変化または変化予測を検知する状態変化検知部と、設置状態が変化した場合にローミングを要する第１の無線ＬＡＮ−ＳＴＡの有無を特定する第１装置特定部と、他の無線ＬＡＮ−ＡＰの有無を特定する第２装置特定部と、無線ＬＡＮ−ＡＰのＥＳＳＩＤを設定するＥＳＳＩＤ設定部であって、設置状態の変化または変化予測が検知されると、第１の無線ＬＡＮ−ＳＴＡが有ると特定され且つ他の無線ＬＡＮ−ＡＰが有ると特定された場合にＥＳＳＩＤを変更するＥＳＳＩＤ設定部と、を備える。【選択図】図３
2016052023.tif 000002
【特許請求の範囲】
【請求項１】
第１のＥＳＳＩＤ（Ｅｘｔｅｎｄｅｄ  Ｓｅｒｖｉｃｅ  Ｓｅｔ  Ｉｄｅｎｔｉｆｉｅｒ）が設定されている無線ＬＡＮアクセスポイント装置であって、
前記無線ＬＡＮアクセスポイント装置の設置状態が変化したこと、または、前記設置状態の変化が予測されること、を検知する状態変化検知部と、
前記無線ＬＡＮアクセスポイント装置の設置状態が変化した場合に前記無線ＬＡＮアクセスポイント装置から前記第１のＥＳＳＩＤが設定されている他の無線ＬＡＮアクセスポイント装置へのローミングを要する無線ＬＡＮステーション装置である第１の無線ＬＡＮステーション装置の有無を特定する第１装置特定部と、
無線通信可能な範囲における前記他の無線ＬＡＮアクセスポイント装置の有無を特定する第２装置特定部と、
前記無線ＬＡＮアクセスポイント装置のＥＳＳＩＤを設定するＥＳＳＩＤ設定部であって、前記設置状態が変化したこと、または、前記設置状態の変化が予測されることが検知されると、前記第１の無線ＬＡＮステーション装置が有ると特定された場合、かつ、前記他の無線ＬＡＮアクセスポイント装置が有ると特定された場合に、前記無線ＬＡＮアクセスポイント装置に設定されているＥＳＳＩＤを前記第１のＥＳＳＩＤから第２のＥＳＳＩＤに変更する、ＥＳＳＩＤ設定部と、
を備える、無線ＬＡＮアクセスポイント装置。
【請求項２】
請求項１に記載の無線ＬＡＮアクセスポイント装置において、
前記ＥＳＳＩＤ設定部は、前記設置状態が変化したこと、または、前記設置状態の変化が予測されることが検知されると、前記第１の無線ＬＡＮステーション装置が無いと特定された場合、または、前記他の無線ＬＡＮアクセスポイント装置が無いと特定された場合に、前記無線ＬＡＮアクセスポイント装置に設定されているＥＳＳＩＤを前記第１のＥＳＳＩＤのまま変更しない、無線ＬＡＮアクセスポイント装置。
【請求項３】
請求項１または請求項２に記載の無線ＬＡＮアクセスポイント装置において、さらに、
有線ＬＡＮ用のネットワークケーブルが装着され得るポートと、
前記ポートにおける前記ネットワークケーブルの装着状態を検出するケーブル装着検出部と、
を備え、
前記ケーブル装着検出部は、前記ポートにおける前記ネットワークケーブルの装着状態の変化に基づき、前記設置状態が変化したこと、または、前記設置状態の変化が予測されることを検知する、無線ＬＡＮアクセスポイント装置。
【請求項４】
請求項１から請求項３までのいずれか一項に記載の無線ＬＡＮアクセスポイント装置において、
前記無線ＬＡＮアクセスポイント装置は、クレードルに装着可能であり、
前記無線ＬＡＮアクセスポイント装置は、さらに、前記クレードルへの前記無線ＬＡＮアクセスポイント装置の装着状態を検出するクレードル装着検出部を備え、
前記クレードル装着検出部は、前記無線ＬＡＮアクセスポイント装置の前記クレードルへの装着の有無の変化に基づき、前記設置状態が変化したこと、または、前記設置状態の変化が予測されることを検知する、無線ＬＡＮアクセスポイント装置。
【請求項５】
請求項１から請求項４までのいずれか一項に記載の無線ＬＡＮアクセスポイント装置において、さらに、
前記無線ＬＡＮアクセスポイント装置の姿勢の変化を検知するセンサーを備え、
前記状態変化検知部は、前記センサーにより検知される前記姿勢の変化に基づき、前記設置状態が変化したこと、または、前記設置状態の変化が予測されることを検知する、無線ＬＡＮアクセスポイント装置。
【請求項６】
請求項１から請求項５までのいずれか一項に記載の無線ＬＡＮアクセスポイント装置において、さらに、
前記無線ＬＡＮアクセスポイント装置に設定されているＥＳＳＩＤを前記第１のＥＳＳＩＤから前記第２のＥＳＳＩＤに変更する際に、前記第１の無線ＬＡＮステーション装置とは異なる無線ＬＡＮステーション装置である第２の無線ＬＡＮステーション装置に対して、前記第２のＥＳＳＩＤを送信するＥＳＳＩＤ送信部を備える、無線ＬＡＮアクセスポイント装置。
【請求項７】
請求項６に記載の無線ＬＡＮアクセスポイント装置において、さらに、
近接無線通信を行なう近接無線通信部を備え、
前記ＥＳＳＩＤ送信部は、前記近接無線通信により前記第２のＥＳＳＩＤを送信する、無線ＬＡＮアクセスポイント装置。
【請求項８】
請求項１から請求項７までのいずれか一項に記載の無線ＬＡＮアクセスポイント装置において、さらに、
前記第１の無線ＬＡＮステーション装置とは異なる無線ＬＡＮステーション装置である第２の無線ＬＡＮステーション装置の識別情報、または、前記第１の無線ＬＡＮステーション装置の識別情報を記憶する識別情報格納部と、
無線ＬＡＮステーション装置から出力される無線信号に基づき、該無線ＬＡＮステーション装置の識別情報を取得する識別情報取得部と、
を備え、
前記第１装置特定部は、前記識別情報格納部に記憶されている前記識別情報と、前記識別情報取得部により取得された前記識別情報とを比較することにより、前記第１の無線ＬＡＮステーション装置の有無を特定する、無線ＬＡＮアクセスポイント装置。
【請求項９】
無線ＬＡＮアクセスポイント装置にＥＳＳＩＤ（Ｅｘｔｅｎｄｅｄ  Ｓｅｒｖｉｃｅ  Ｓｅｔ  Ｉｄｅｎｔｉｆｉｅｒ）を設定する方法であって、
前記無線ＬＡＮアクセスポイント装置には、予め第１のＥＳＳＩＤが設定されており、
前記方法は、
（ａ）前記無線ＬＡＮアクセスポイント装置の設置状態が変化したこと、または、前記設置状態の変化が予測されること、を検知する工程と、
（ｂ）前記無線ＬＡＮアクセスポイント装置の設置状態が変化した場合に前記無線ＬＡＮアクセスポイント装置から前記第１のＥＳＳＩＤが設定されている他の無線ＬＡＮアクセスポイント装置へのローミングを要する無線ＬＡＮステーション装置である第１の無線ＬＡＮステーション装置の有無を特定する工程と、
（ｃ）無線通信可能な範囲における前記他の無線ＬＡＮアクセスポイント装置の有無を特定する工程と、
（ｄ）前記設置状態が変化したこと、または、前記設置状態の変化が予測されることが検知されると、前記第１の無線ＬＡＮステーション装置が有ると特定された場合、かつ、前記他の無線ＬＡＮアクセスポイント装置が有ると特定された場合に、前記無線ＬＡＮアクセスポイント装置に設定されているＥＳＳＩＤを前記第１のＥＳＳＩＤから第２のＥＳＳＩＤに変更する工程と、
を備える、方法。
【発明の詳細な説明】
【技術分野】
【０００１】
本発明は、無線ＬＡＮアクセスポイント装置を持ち出す際の無線ＬＡＮステーション装置と無線ＬＡＮアクセスポイント装置との間の無線接続に関する。
【背景技術】
【０００２】
近年、携行性に優れる無線ＬＡＮアクセスポイント装置を、ノート型パーソナルコンピューターや多機能電話端末（いわゆるスマートフォン）といった無線ＬＡＮステーション装置として動作する通信端末と共に宅内から外出先に持ち出し、外出先において、通信端末を、無線ＬＡＮアクセスポイント装置を介してインターネット等のネットワークに接続させることが提案されている。例えば、特許文献１に記載の可搬型ネットワーク装置は、宅内および外出先のいずれにおいてもクライアントに対して無線ＬＡＮアクセスポイントとして動作し、外出先においては更にルータ装置としても動作して、クライアントから受信するデータパケットを移動体通信網に中継する。
【先行技術文献】
【特許文献】
【０００３】
【特許文献１】特開２０１２−１１４８４４号公報
【発明の概要】
【発明が解決しようとする課題】
【０００４】
しかしながら、従来においては、無線ＬＡＮアクセスポイント装置を持ち出す際に無線ＬＡＮステーション装置の通信可能性が低下するという問題があった。具体的には、例えば、無線ＬＡＮアクセスポイント装置が持ち出される際に、宅内に残される無線ＬＡＮステーション装置（以下、「残置ＳＴＡ」と呼ぶ）は、無線ＬＡＮアクセスポイント装置から無線受信する信号の強度が高いうちは、当該無線ＬＡＮアクセスポイント装置に継続して接続し、信号強度が低下した場合にも、直ちに他の無線ＬＡＮアクセスポイント装置に無線接続先を変更するのではなく、既存の無線接続先である持ち出される無線ＬＡＮアクセスポイント装置との無線接続を維持するために、再接続を試みることがある。この場合、残置ＳＴＡが他の無線ＬＡＮアクセスポイント装置に無線接続先を変更して通信が可能となるまでに長時間を要するため、残置ＳＴＡの通信可能性が低下する。また、従来においては、残置ＳＴＡの通信可能性の低下を抑制するだけでなく、無線ＬＡＮアクセスポイント装置と共に持ち出される無線ＬＡＮステーション装置の通信可能性の低下を抑制する技術について、なお一層の改善の余地があった。
【０００５】
なお、上述した問題は、自宅内のネットワークに限らず、オフィス内のネットワークや学校内のネットワークなど、任意のネットワークから無線ＬＡＮアクセスポイント装置を持ち出す場合に起こり得る。このように、従来の無線ＬＡＮアクセスポイント装置では、接続している無線ＬＡＮステーション装置の通信可能性の低下を抑制することが望まれていた。その他、従来の無線ＬＡＮアクセスポイント装置においては、その小型化、低コスト化、省資源化、構築の容易化、使い勝手の向上等が望まれていた。
【課題を解決するための手段】
【０００６】
本発明は、上述の課題の少なくとも一部を解決するためになされたものであり、以下の形態として実現することが可能である。
【０００７】
（１）本発明の一形態によれば、第１のＥＳＳＩＤ（Ｅｘｔｅｎｄｅｄ  Ｓｅｒｖｉｃｅ  Ｓｅｔ  Ｉｄｅｎｔｉｆｉｅｒ）が設定されている無線ＬＡＮアクセスポイント装置が提供される。この無線ＬＡＮアクセスポイント装置は、前記無線ＬＡＮアクセスポイント装置の設置状態が変化したこと、または、前記設置状態の変化が予測されること、を検知する状態変化検知部と；前記無線ＬＡＮアクセスポイント装置の設置状態が変化した場合に前記無線ＬＡＮアクセスポイント装置から前記第１のＥＳＳＩＤが設定されている他の無線ＬＡＮアクセスポイント装置へのローミングを要する無線ＬＡＮステーション装置である第１の無線ＬＡＮステーション装置の有無を特定する第１装置特定部と；無線通信可能な範囲における前記他の無線ＬＡＮアクセスポイント装置の有無を特定する第２装置特定部と；前記無線ＬＡＮアクセスポイント装置のＥＳＳＩＤを設定するＥＳＳＩＤ設定部であって、前記設置状態が変化したこと、または、前記設置状態の変化が予測されることが検知されると、前記第１の無線ＬＡＮステーション装置が有ると特定された場合、かつ、前記他の無線ＬＡＮアクセスポイント装置が有ると特定された場合に、前記無線ＬＡＮアクセスポイント装置に設定されているＥＳＳＩＤを前記第１のＥＳＳＩＤから第２のＥＳＳＩＤに変更する、ＥＳＳＩＤ設定部と；を備える。
この形態の無線ＬＡＮアクセスポイント装置によれば、第１の無線ＬＡＮステーション装置が有ると特定された場合、かつ、他の無線ＬＡＮアクセスポイント装置が有ると特定された場合、つまり、無線ＬＡＮアクセスポイント装置の設置状態が変化した場合にローミングを要する無線ＬＡＮステーション装置が有り、かつ、ローミング先となる同一のＥＳＳＩＤが設定されている他の無線ＬＡＮアクセスポイント装置が有る場合に、無線ＬＡＮアクセスポイント装置においてＥＳＳＩＤが第２のＥＳＳＩＤに変更される。このため、無線ＬＡＮアクセスポイント装置が持ち出される際に、第１の無線ＬＡＮステーション装置がこの無線ＬＡＮアクセスポイント装置に継続して再接続することを停止させ、他の無線ＬＡＮアクセスポイント装置に無線接続先を直ぐに変更させることができる。このため、第１の無線ＬＡＮステーション装置の通信可能性が低下することを抑制できる。
【０００８】
（２）上記形態の無線ＬＡＮアクセスポイント装置において、前記ＥＳＳＩＤ設定部は、前記設置状態が変化したこと、または、前記設置状態の変化が予測されることが検知されると、前記第１の無線ＬＡＮステーション装置が無いと特定された場合、または、前記他の無線ＬＡＮアクセスポイント装置が無いと特定された場合に、前記無線ＬＡＮアクセスポイント装置に設定されているＥＳＳＩＤを前記第１のＥＳＳＩＤのまま変更しなくてもよい。この形態の無線ＬＡＮアクセスポイント装置によれば、第１の無線ＬＡＮステーション装置が無いと特定された場合、または、他の無線ＬＡＮアクセスポイント装置が無いと特定された場合、つまり、通信可能性の低下抑制の対象となる第１の無線ＬＡＮステーション装置が無い場合、または、無線ＬＡＮアクセスポイント装置のＥＳＳＩＤを変更したとしてもローミング先が無いために第１の無線ＬＡＮステーション装置の通信可能性の低下を抑制できない場合には、ＥＳＳＩＤを変更しないので、無線ＬＡＮアクセスポイント装置と一緒に持ち出される無線ＬＡＮステーション装置の通信可能性の低下を抑制できる。
【０００９】
（３）上記形態の無線ＬＡＮアクセスポイント装置において、さらに、有線ＬＡＮ用のネットワークケーブルが装着され得るポートと、前記ポートにおける前記ネットワークケーブルの装着状態を検出するケーブル装着検出部と、を備え、前記ケーブル装着検出部は、前記ポートにおける前記ネットワークケーブルの装着状態の変化に基づき、前記設置状態が変化したこと、または、前記設置状態の変化が予測されることを検知してもよい。この形態の無線ＬＡＮアクセスポイント装置によれば、ポートにおけるネットワークケーブルの装着状態の変化に基づき、設置状態が変化したこと、または、設置状態の変化が予測されることを検知するので、かかる検知を簡易に且つ短時間で実行できる。また、無線ＬＡＮアクセスポイント装置が持ち出される際には、無線ＬＡＮアクセスポイント装置からネットワークケーブルは取り外されるので、上記形態により無線ＬＡＮアクセスポイント装置の設置状態の変化を精度よく検知できる。
【００１０】
（４）上記形態の無線ＬＡＮアクセスポイント装置において、前記無線ＬＡＮアクセスポイント装置は、クレードルに装着可能であり、前記無線ＬＡＮアクセスポイント装置は、さらに、前記クレードルへの前記無線ＬＡＮアクセスポイント装置の装着状態を検出するクレードル装着検出部を備え、前記クレードル装着検出部は、前記無線ＬＡＮアクセスポイント装置の前記クレードルへの装着の有無の変化に基づき、前記設置状態が変化したこと、または、前記設置状態の変化が予測されることを検知してもよい。この形態の無線ＬＡＮアクセスポイント装置によれば、無線ＬＡＮアクセスポイント装置のクレードルへの装着の有無の変化に基づき、設置状態が変化したこと、または、設置状態の変化が予測されることを検知するので、かかる検知を簡易に且つ短時間で実行できる。また、無線ＬＡＮアクセスポイント装置が持ち出される際には、無線ＬＡＮアクセスポイント装置はクレードルから取り外されるので、上記形態により無線ＬＡＮアクセスポイント装置の設置状態の変化を精度よく検知できる。
【００１１】
（５）上記形態の無線ＬＡＮアクセスポイント装置において、さらに、前記無線ＬＡＮアクセスポイント装置の姿勢の変化を検知するセンサーを備え、前記状態変化検知部は、前記センサーにより検知される前記姿勢の変化に基づき、前記設置状態が変化したこと、または、前記設置状態の変化が予測されることを検知してもよい。この形態の無線ＬＡＮアクセスポイント装置によれば、センサーによる無線ＬＡＮアクセスポイント装置の姿勢の変化に基づき、設置状態が変化したこと、または、設置状態の変化が予測されることを検知するので、かかる検知を簡易に且つ短時間で実行できる。また、無線ＬＡＮアクセスポイント装置が持ち出される際には、無線ＬＡＮアクセスポイント装置の姿勢は変化する可能性が高いので、上記形態により無線ＬＡＮアクセスポイント装置の設置状態の変化を精度よく検知できる。
【００１２】
（６）上記形態の無線ＬＡＮアクセスポイント装置において、さらに、前記無線ＬＡＮアクセスポイント装置に設定されているＥＳＳＩＤを前記第１のＥＳＳＩＤから前記第２のＥＳＳＩＤに変更する際に、前記第１の無線ＬＡＮステーション装置とは異なる無線ＬＡＮステーション装置である第２の無線ＬＡＮステーション装置に対して、前記第２のＥＳＳＩＤを送信するＥＳＳＩＤ送信部を備えてもよい。この形態の無線ＬＡＮアクセスポイント装置によれば、第２の無線ＬＡＮステーション装置、すなわち、他の無線ＬＡＮアクセスポイント装置へのローミングを要しない無線ＬＡＮステーション装置に対して、第２のＥＳＳＩＤを送信するので、無線ＬＡＮアクセスポイント装置においてＥＳＳＩＤが変更された後に、第２の無線ＬＡＮステーション装置が変更後のＥＳＳＩＤを利用して無線ＬＡＮアクセスポイント装置と無線接続することができる。加えて、第２のＥＳＳＩＤが第２の無線ＬＡＮステーション装置に送信されるので、利用者は第２の無線ＬＡＮステーション装置に第２のＥＳＳＩＤを手動で設定することを省略できる。
【００１３】
（７）上記形態の無線ＬＡＮアクセスポイント装置において、さらに、近接無線通信を行なう近接無線通信部を備え、前記ＥＳＳＩＤ送信部は、前記近接無線通信により前記第２のＥＳＳＩＤを送信してもよい。この形態の無線ＬＡＮアクセスポイント装置によれば、近接無線通信により第２のＥＳＳＩＤを第２の無線ＬＡＮステーション装置に送信するので、利用者が無線ＬＡＮアクセスポイント装置に近づけた第２の無線ＬＡＮステーション装置にのみ第２のＥＳＳＩＤを渡すことができる。このため、意図しない無線ＬＡＮステーション装置に第２のＥＳＳＩＤを送信することを抑制できる。また、利用者は、第２の無線ＬＡＮステーション装置を持ち出す際に、無線ＬＡＮアクセスポイント装置に近づけて（例えば、同じバッグ内に収納して）持ち出すだけで第２の無線ＬＡＮステーション装置に第２のＥＳＳＩＤを渡すことができるので、大変簡便である。
【００１４】
（８）上記形態の無線ＬＡＮアクセスポイント装置において、さらに、前記第１の無線ＬＡＮステーション装置とは異なる無線ＬＡＮステーション装置である第２の無線ＬＡＮステーション装置の識別情報、または、前記第１の無線ＬＡＮステーション装置の識別情報を記憶する識別情報格納部と、無線ＬＡＮステーション装置から出力される無線信号に基づき、該無線ＬＡＮステーション装置の識別情報を取得する識別情報取得部と、を備え、前記第１装置特定部は、前記識別情報格納部に記憶されている前記識別情報と、前記識別情報取得部により取得された前記識別情報とを比較することにより、前記第１の無線ＬＡＮステーション装置の有無を特定してもよい。この形態の無線ＬＡＮアクセスポイント装置によれば、識別情報格納部は、第１のステーション装置の識別情報または第２のステーション装置の識別情報を記憶するので、無線ＬＡＮステーション装置から出力された無線信号に基づき得られた識別情報を、識別情報格納部に格納されている識別情報と比較することにより、簡単に且つ精度良く第１の無線ＬＡＮステーション装置の有無を特定できる。
【００１５】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１６】
例えば、本発明の一形態は、第１のＥＳＳＩＤが設定されている装置であって、状態変化検知部と、第１装置特定部と、第２装置特定部と、ＥＳＳＩＤ設定部と、を備える装置として実現可能である。態変化検知部は、例えば、無線ＬＡＮアクセスポイント装置の設置状態が変化したこと、または、設置状態の変化が予測されること、を検知する状態変化検知部として実現可能である。第１装置特定部は、例えば、無線ＬＡＮアクセスポイント装置の設置状態が変化した場合に無線ＬＡＮアクセスポイント装置から第１のＥＳＳＩＤが設定されている他の無線ＬＡＮアクセスポイント装置へのローミングを要する無線ＬＡＮステーション装置である第１の無線ＬＡＮステーション装置の有無を特定する第１装置特定部として実現可能である。第２装置特定部は、例えば、無線通信可能な範囲における前記他の無線ＬＡＮアクセスポイント装置の有無を特定する第２装置特定部として実現可能である。ＥＳＳＩＤ設定部は、例えば、無線ＬＡＮアクセスポイント装置のＥＳＳＩＤを設定するＥＳＳＩＤ設定部であって、設置状態が変化したこと、または、設置状態の変化が予測されることが検知されると、第１の無線ＬＡＮステーション装置が有ると特定された場合、かつ、他の無線ＬＡＮアクセスポイント装置が有ると特定された場合に、無線ＬＡＮアクセスポイント装置に設定されているＥＳＳＩＤを第１のＥＳＳＩＤから第２のＥＳＳＩＤに変更する、ＥＳＳＩＤ設定部として実現可能である。このような形態の装置は、例えば、無線ＬＡＮアクセスポイント装置として実現できるが、無線ＬＡＮアクセスポイント装置以外の他の装置としても実現可能である。
【００１７】
本発明は、種々の形態で実現することも可能である。例えば、無線ＬＡＮシステムや、無線ＬＡＮアクセスポイント装置に対してＥＳＳＩＤを設定する方法や、上記装置、システム、および方法を実現するためのコンピュータープログラムや、そのコンピュータープログラムを記録した一時的でない記録媒体等の形態で実現することができる。
【図面の簡単な説明】
【００１８】
【図１】本発明の一実施形態としての無線ＬＡＮアクセスポイント装置を適用したネットワークシステムの概略構成を示す説明図。
【図２】本発明の一実施形態としての無線ＬＡＮアクセスポイント装置を適用したネットワークシステムの概略構成を示す説明図。
【図３】無線ＬＡＮ−ＡＰ１０１の詳細構成を示すブロック図。
【図４】第１実施形態における通信端末４０１の詳細構成を示すブロック図。
【図５】第１実施形態におけるＥＳＳＩＤ設定処理の手順を示すフローチャート。
【図６】第１実施形態における変化有無特定処理の詳細手順を示すフローチャート。
【図７】通信端末４０２が存在しない状況で無線ＬＡＮ−ＡＰ１０１および通信端末４０１が外出先に持ち出された場合のネットワークシステム５００の構成を示す説明図。
【図８】第１実施形態におけるプロファイル送信処理の手順を示すフローチャート。
【図９】第１実施形態における無線接続処理の手順を示すフローチャート。
【図１０】第２実施形態の無線ＬＡＮアクセスポイント装置を適用したネットワークシステムの概略構成を示す説明図。
【図１１】第２実施形態の無線ＬＡＮアクセスポイント装置を適用したネットワークシステムの概略構成を示す説明図。
【図１２】第２実施形態の無線ＬＡＮ−ＡＰ１０１ａの詳細構成を示すブロック図。
【図１３】第２実施形態におけるクレードル２００の概略構成を示すブロック図。
【図１４】第２実施形態における変化有無特定処理の手順を示すフローチャート。
【図１５】第３実施形態の無線ＬＡＮ−ＡＰ１０１ｂの詳細構成を示すブロック図。
【図１６】第３実施形態における変化有無特定処理の手順を示すフローチャート。
【図１７】第４実施形態におけるＥＳＳＩＤ設定処理の手順を示すフローチャート。
【図１８】第４実施形態における無線ＬＡＮ−ＡＰが適用されたネットワークシステム５００ｂの概略構成を示す説明図。
【図１９】第５実施形態における無線ＬＡＮアクセスポイント装置の構成を示すブロック図。
【発明を実施するための形態】
【００１９】
Ａ．第１実施形態：
Ａ１．システム構成：
図１および図２は、本発明の一実施形態としての無線ＬＡＮアクセスポイント装置を適用したネットワークシステムの概略構成を示す説明図である。ネットワークシステム５００は、３台の通信端末４０１，４０２，４０３をそれぞれインターネットＩＮＴに接続させる。図１では、３台の通信端末４０１〜４０３は、オフィス内に配置されている。これに対して、図２では、３台の通信端末４０１〜４０３のうち、通信端末４０１は外出先に持ち出されており、残りの２台の通信端末４０２，４０３はオフィス内に配置されている。ネットワークシステム５００では、図１に示すように３台の通信端末４０１〜４０３がいずれもオフィス内に配置されている場合も、図２に示すように通信端末４０１のみが外出先に持ち出されている場合も、３台の通信端末４０１，４０２，４０３をそれぞれインターネットＩＮＴに接続させる。
【００２０】
ネットワークシステム５００は、３台の無線ＬＡＮ（Local Area Network）アクセスポイント装置（以下、「無線ＬＡＮ−ＡＰ」と呼ぶ）１０１，１０２，１０３と、管理装置３００と、ルータ装置１０４と、有線ＬＡＮ１１とを備える。３台の無線ＬＡＮ−ＡＰ１０１〜１０３と、管理装置３００と、ルータ装置１０４とは、いずれも有線ＬＡＮ１１に接続されている。有線ＬＡＮ１１は、ルータ装置１０４を介してインターネットＩＮＴに接続されている。ルータ装置１０４の構成は、一般的なルータ装置と同様であるため、その詳細構成の説明を省略する。
【００２１】
３台の無線ＬＡＮ−ＡＰ１０１〜１０３のうち、無線ＬＡＮ−ＡＰ１０１は、本発明の一実施形態としての無線ＬＡＮアクセスポイント装置に該当する。無線ＬＡＮ−ＡＰ１０１は、携行性に優れており、図２に示すように通信端末４０１が外出先に持ち出される際に一緒に持ち出される。外出先において、無線ＬＡＮ−ＡＰ１０１は、通信端末４０１を、移動体通信網１０５を介してインターネットＩＮＴに接続させる。これに対して、２台の無線ＬＡＮ−ＡＰ１０２，１０３は、いずれもオフィス内に配置されており、本実施形態では、外出先に持ち出されない。
【００２２】
２台の無線ＬＡＮ−ＡＰ１０２，１０３は、ＩＥＥＥ（Institute of Electrical and Electronics Engineers）８０２．１１に規定される無線ＬＡＮ規格におけるインフラストラクチャーモードのアクセスポイントとして、ステーションとして機能する通信端末との間で無線ＬＡＮを形成する。図１の例では、無線ＬＡＮ−ＡＰ１０３は、通信端末４０３と無線ＬＡＮを形成している。この無線ＬＡＮにおいてアクセスポイント（無線ＬＡＮ−ＡＰ１０３）およびステーション（通信端末４０３）には、互いに共通のＥＳＳＩＤ（Extended Service Set Identifier）である「ＢＢＢ」が設定されている。また、図１の例では、無線ＬＡＮ−ＡＰ１０２は、無線ＬＡＮ−ＡＰ１０１と、２台の通信端末４０１，４０２と共に無線ＬＡＮを形成する。この無線ＬＡＮにおいてアクセスポイント（無線ＬＡＮ−ＡＰ１０１，１０２）およびステーション（通信端末４０１，４０２）には、互いに共通のＥＳＳＩＤである「ＡＡＡ」が設定されている。また、図２の例では、無線ＬＡＮ−ＡＰ１０２は、通信端末４０２と共に無線ＬＡＮを形成しており、かかる無線ＬＡＮにおいては、無線ＬＡＮ−ＡＰ１０２および通信端末４０２に、それぞれ共通のＥＳＳＩＤである「ＡＡＡ」が設定されている。なお、図２に示すように、互いに一緒に持ち出された無線ＬＡＮ−ＡＰ１０１および通信端末４０１は、外出先において無線ＬＡＮを形成しており、かかる無線ＬＡＮにおいては、無線ＬＡＮ−ＡＰ１０１および通信端末４０１に、それぞれ共通のＥＳＳＩＤである「ＣＣＣ」が設定されている。ＥＳＳＩＤの詳細な設定方法については、後述する。
【００２３】
３台の無線ＬＡＮ−ＡＰ１０１〜１０３は、それぞれ無線ＬＡＮアクセスポイントとして動作する際の動作モードとして、「Ｔｈｉｎ−ＡＰ」モードと、「Ｆａｔ−ＡＰ」モードとを有する。Ｔｈｉｎ−ＡＰモードとは、無線ＬＡＮステーション（本実施形態では、通信端末４０１〜４０３）との間のデータのやりとり、およびデータの中継を実行し、かかるデータ中継に関連する各種設定値（例えば、ＥＳＳＩＤ、認証方式、暗号化キー、使用する無線チャンネル等の値：以下、「無線ＬＡＮ用プロファイル」と呼ぶ）の決定および設定を自らで実行しないモードである。これに対して、Ｆａｔ−ＡＰモードとは、無線ＬＡＮステーションとの間のデータのやりとりおよびデータの中継と共に、上述した無線ＬＡＮ用プロファイルの決定および設定を自らが行なうモードである。なお、Ｔｈｉｎ−ＡＰモードでは、無線ＬＡＮ用プロファイルの決定および設定は、管理装置３００により実行される。管理装置３００は、いわゆる無線ＬＡＮコントローラーとして機能して、図１に示す接続態様においては３台の無線ＬＡＮ−ＡＰ１０１〜１０３を一元的に管理し、図２に示す接続態様においては２台の無線ＬＡＮ−ＡＰ１０２，１０３を一元的に管理する。より具体的には、管理装置３００は、３台の無線ＬＡＮ−ＡＰ１０１〜１０３のうち、Ｔｈｉｎ−ＡＰモードで動作する無線ＬＡＮ−ＡＰについて、当該無線ＬＡＮ−ＡＰにおいて用いられる無線ＬＡＮ用プロファイルを決定し、決定された無線ＬＡＮ用プロファイルを該当する無線ＬＡＮ−ＡＰに通知する。なお、管理装置３００の構成は、一般的な無線ＬＡＮコントローラー装置と同様であるため、その詳細構成の説明を省略する。
【００２４】
図３は、無線ＬＡＮ−ＡＰ１０１の詳細構成を示すブロック図である。無線ＬＡＮ−ＡＰ１０１は、図１に示す接続態様および図２に示す接続態様のいずれにおいても、ＩＥＥＥ８０２．１１に規定される無線ＬＡＮ規格におけるインフラストラクチャーモードのアクセスポイントとして動作する。また、無線ＬＡＮ−ＡＰ１０１は、図１に示す接続態様では、ブリッジとして動作してＯＳＩ（Open Systems Interconnection）参照モデルにおけるレイヤ２のデータフレームを中継する。他方、図２に示す接続態様では、無線ＬＡＮ−ＡＰ１０１は、ルータとして動作してＯＳＩ参照モデルにおけるレイヤ３のデータパケットを中継する。本実施形態では、無線ＬＡＮ−ＡＰ１０１は、自らが所属するネットワーク内にルータが存在することを検出した場合にブリッジとして動作し、当該ネットワーク内にルータが存在することを検出できない場合にルータとして動作する。
【００２５】
無線ＬＡＮ−ＡＰ１０１は、ＣＰＵ（Central Processing Unit）１１０と、フラッシュＲＯＭ（Read Only Memory）１２０と、ＲＡＭ（Random Access Memory）１２５と、有線ＬＡＮ通信部１３０と、無線ＬＡＮ通信部１４０と、移動体通信部１５０と、近接無線通信部１６０と、ＮＦＣ（Near Field Communication）タグ用リーダライタ１７０とを備えている。これらの各構成要素は、内部バス１９０に接続されている。各構成要素には、無線ＬＡＮ−ＡＰ１０１が有する図示しないバッテリーから給電される。なお、ＮＦＣタグ用リーダライタ１７０が近接無線通信部１６０に含まれる構成としてもよい。
【００２６】
ＣＰＵ１１０は、フラッシュＲＯＭ１２０に格納されている制御プログラムを実行することにより、第１ＡＰ機能部１１１、第２ＡＰ機能部１１２、動作モード切替部１１３、状態変化検知部１１４、第１装置特定部１１５、第２装置特定部１１６、ＥＳＳＩＤ設定部１１７、プロファイル送信部１１８、および識別情報取得部１１９として機能する。
【００２７】
第１ＡＰ機能部１１１は、無線ＬＡＮ−ＡＰ１０１がＴｈｉｎ−ＡＰモードで機能する際に、上述したＴｈｉｎ−ＡＰとしての機能を実現する。第２ＡＰ機能部１１２は、無線ＬＡＮ−ＡＰ１０１がＦａｔ−ＡＰモードで機能する際に、上述したＦａｔ−ＡＰとしての機能を実現する。動作モード切替部１１３は、無線ＬＡＮアクセスポイントとしての機能を、Ｔｈｉｎ−ＡＰモードまたはＦａｔ−ＡＰモードのいずれかに切り替える。具体的には、動作モード切替部１１３は、管理装置３００のＩＰアドレスを宛先アドレスとする応答要求を定期的に送信し、かかる応答要求に対する応答の受信結果に基づき、同一ネットワーク内における管理装置３００の有無状態の変化を特定する。そして、管理装置３００有無の特定結果に変化が発生した場合、つまり、同一ネットワーク内に管理装置４００が無い状態から有る状態への変化が特定されると、動作モードをＴｈｉｎ−ＡＰモードに設定し、管理装置４００が有る状態から無い状態への変化が特定されると、動作モードをＦａｔ−ＡＰモードに設定する。なお、上述した応答要求としては、例えば、ＩＣＭＰ（Internet Control Message Protocol）に規定されるエコー要求（いわゆるｐｉｎｇ）を採用してもよい。このエコー要求において、ホップ数「１」を指定することにより、応答の受信結果に基づき、同一ネットワーク内における管理装置３００の有無状態の変化を特定できる。
【００２８】
状態変化検知部１１４は、無線ＬＡＮ−ＡＰ１０１の設置状態が図１に示すようにオフィス内に載置されて用いられる状態（以下、「載置状態」と呼ぶ）から、図２に示すように外出先に持ち出される状態（以下、「持ち出し状態」と呼ぶ）に変化することを検知する。第１装置特定部１１５は、後述するＥＳＳＩＤ設定処理において、所定の条件を満たす無線ＬＡＮステーション（通信端末）の有無を特定する。第２装置特定部１１６は、後述するＥＳＳＩＤ設定処理において、所定の条件を満たす無線ＬＡＮ−ＡＰの有無を特定する。第１装置特定部１１５および第２装置特定部１１６の詳細な動作については、後述する。ＥＳＳＩＤ設定部１１７は、無線ＬＡＮ−ＡＰ１０１がＦａｔ−ＡＰモードで動作している際に、自らが用いるＥＳＳＩＤを決定して設定する。また、ＥＳＳＩＤ設定部１１７は、無線ＬＡＮ−ＡＰ１０１がＴｈｉｎ−ＡＰモードで動作している際に、管理装置３００から受信したＥＳＳＩＤを自らが用いるＥＳＳＩＤとして設定する。プロファイル送信部１１８は、後述するプロファイル送信処理において、無線ＬＡＮ用プロファイルを無線ＬＡＮステーション（通信端末）に送信する。識別情報取得部１１９は、無線ＬＡＮ−ＡＰ１０１の周りに配置されている無線ＬＡＮステーション（通信端末）から出力される無線信号に基づき、無線ＬＡＮステーション（通信端末）の識別情報を取得する。本実施形態では、無線ＬＡＮステーション（通信端末）の識別情報として、ＭＡＣ（Media Access Control）アドレスを用いる。
【００２９】
フラッシュＲＯＭ１２０には、上述の制御プログラムに加えて、無線ＬＡＮ用プロファイル格納部１２１およびＭＡＣアドレスリスト格納部１２２が格納されている。無線ＬＡＮ用プロファイル格納部１２１は、無線ＬＡＮステーション（２台の通信端末４０１，４０２）と無線通信を行なう際に用いられる無線ＬＡＮ用プロファイルが格納されている。ＭＡＣアドレスリスト格納部１２２には、外出先に持ち出される可能性のある通信端末のＭＡＣアドレスが記載されたリストが格納されている。かかるリストは、ネットワークシステム５００の管理者によって予め記載されてＭＡＣアドレスリスト格納部１２２に格納されている。なお、本実施形態では、かかるリストには、通信端末４０１のＭＡＣアドレスのみが記載されているものとする。
【００３０】
有線ＬＡＮ通信部１３０は、有線ＬＡＮ１１に接続するためのインターフェイスを有する。かかるインターフェイスとしては、例えば、ＩＥＥＥ８０２．３ａｂや、８０２．３ｕ等において規格化された各種インターフェイスを採用できる。有線ＬＡＮ通信部１３０は、ネットワークケーブルが装着され得るポート１３１と、かかるポート１３１へのネットワークケーブルの装着状態（装着の有無）を検出する装着状態検出部１３２とを備えている。本実施形態では、装着状態検出部１３２は、ポート１３１でのリンクアップまたはリンクダウンを検出し、リンクアップを検出した場合にはポート１３１にネットワークケーブルが装着されていると検出し、リンクダウンを検出した場合にはポート１３１にネットワークケーブルが装着されていないと検出する。
【００３１】
無線ＬＡＮ通信部１４０は、変調器やアンプ、アンテナを含み、例えばＩＥＥＥ８０２．１１ａ／ｂ／ｇ／ｎ／ａｃ等に準拠したアクセス制御方式に従って、無線ＬＡＮアクセスポイントとして動作して、無線ＬＡＮステーションとして機能する通信端末４０１，４０２と通信を行なう。なお、後述するＥＳＳＩＤ設定処理においては、無線ＬＡＮステーションとして動作して、周囲の無線ＬＡＮ−ＡＰをスキャンする。移動体通信部１５０は、変調器やアンプ、アンテナを含み、例えば３Ｇ／ＨＳＰＡ（High Speed Packet Access）や、ＬＴＥ（Long Term Evolution）や、Ｗｉｍａｘ（Worldwide Interoperability for Microwave Access）などの規格に準拠した無線データ通信を実行する移動体通信端末として、移動体通信網１０５の基地局と無線通信を行う。
【００３２】
近接無線通信部１６０は、変調器やアンプ、アンテナを有し、最大通信距離が比較的短く磁界を通信媒体に用いた無線通信を実行する。本実施形態では、かかる無線通信として、ＩＳＯ／ＩＥＣ１８０９２に規定されているＮＦＣ（Near Field Communication）を採用する。なお、ＩＳＯ／ＩＥＣ１８０９２に代えて、ＩＳＯ／ＩＥＣ２１４８１や、ＩＳＯ／ＩＥＣ１４４４３（ＭＩＦＡＲＥ（登録商標））や、ＴｒａｎｓｆｅｒＪｅｔ（登録商標）や、Ｆｅｌｉｃａ（登録商標）や、ＩＳＯ／ＩＥＣ１５６９３等に規定されるＲＦＩＤ（Radio Frequency IDentification）など、最大通信距離が比較的短い任意の方式の無線通信を採用してもよい。
【００３３】
ＮＦＣタグ用リーダライタ１７０は、ＮＦＣタグ１７１へのデータの書き込み、およびＮＦＣタグ１７１からのデータの読み出しを行なう。後述するように、ＮＦＣタグ１７１には、無線ＬＡＮ用プロファイルが記憶される。
【００３４】
２台の無線ＬＡＮ−ＡＰ１０２，１０３は、一般的な無線ＬＡＮアクセスポイント装置と同様であるため、その詳細構成の説明を省略する。なお、２台の無線ＬＡＮ−ＡＰ１０２，１０３は、図１に示す接続態様および図２に示す接続態様のいずれにおいても、ブリッジとして動作して、ＯＳＩ参照モデルにおけるレイヤ２のデータフレームを中継する。
【００３５】
図４は、第１実施形態における通信端末４０１の詳細構成を示すブロック図である。本実施形態において、通信端末４０１は、多機能電話端末（いわゆるスマートフォン）として構成されており、ＣＰＵ４１０と、フラッシュＲＯＭ４２０と、無線ＬＡＮ通信部４４０と、移動体通信部４５０と、近接無線通信部４６０と、表示部４７０とを備えている。これらの各構成要素は、内部バス４９０に接続されている。
【００３６】
ＣＰＵ４１０は、フラッシュＲＯＭ４２０に格納されている制御プログラムを実行することにより、通話制御部４１１、ユーザインターフェイス（ＵＩ）制御部４１２、および候補プロファイル受信部４１３として機能する。通話制御部４１１は、移動体通信部４５０を介した音声通話の呼制御を実行する。ユーザインターフェイス制御部４１２は、表示部４７０に表示される各種操作画面の画像生成や、操作画面の遷移などを制御する。候補プロファイル受信部４１３は、後述するプロファイル送信処理において、無線ＬＡＮ用プロファイルを無線ＬＡＮ−ＡＰ１０１から受信する。
【００３７】
フラッシュＲＯＭ４２０には、上述の制御プログラムに加えて、無線ＬＡＮ用プロファイル格納部４２１および候補プロファイル格納部４２２が格納されている。無線ＬＡＮ用プロファイル格納部４２１には、無線ＬＡＮ−ＡＰ（本実施形態では、無線ＬＡＮ−ＡＰ１０１）との間で無線通信を行なう際に用いられる無線ＬＡＮ用プロファイルが格納されている。候補プロファイル格納部４２２には、無線ＬＡＮ用プロファイルの候補となるプロファイル（以下、「候補プロファイル」と呼ぶ）が格納されている。かかる候補プロファイルは、後述するプロファイル送信処理において候補プロファイル格納部４２２に格納される。なお、利用者が候補プロファイルを手動で設定することにより、候補プロファイル格納部４２２に候補プロファイルを格納してもよい。
【００３８】
無線ＬＡＮ通信部４４０は、上述した無線ＬＡＮ−ＡＰ１０１の無線ＬＡＮ通信部１４０と同様な構成を有するため、その詳細な説明を省略する。また、移動体通信部４５０は上述した無線ＬＡＮ−ＡＰ１０１の移動体通信部１５０と、近接無線通信部４６０は上述した無線ＬＡＮ−ＡＰ１０１の近接無線通信部１６０と、それぞれ同様な構成を有するため、その詳細な説明を省略する。
【００３９】
表示部４７０は、タッチパネル式のディスプレイにより構成されており、フラッシュＲＯＭ４２０に格納されている画像や各種メニュー画面等を表示し、また、タッチペンや指等の接触状態に関する情報を出力する。
【００４０】
ここで、図１に示すように、無線ＬＡＮ−ＡＰ１０１が載置状態の場合に、２台の通信端末４０１，４０２は、いずれも無線ＬＡＮ−ＡＰ１０１と無線接続することにより、インターネットＩＮＴに接続される。これに対して、図２に示すように、無線ＬＡＮ−ＡＰ１０１が持ち出し状態の場合に、通信端末４０１は、無線ＬＡＮ−ＡＰ１０１と無線接続することにより、移動体通信網１０５を介してインターネットＩＮＴに接続され、通信端末４０２は、無線ＬＡＮ−ＡＰ１０２と無線接続することにより、インターネットＩＮＴに接続される。本実施形態のネットワークシステム５００では、後述するＥＳＳＩＤ設定処理、無線接続処理、およびプロファイル送信処理を実行することにより、無線ＬＡＮ−ＡＰ１０１が外出先に持ち出された際にオフィス内に残される通信端末（以下、「残置端末」と呼ぶ）である通信端末４０２の無線接続先を無線ＬＡＮ−ＡＰ１０２に速やかに変更する。これにより、残置端末である通信端末４０２の通信可能性を向上させるようにしている。加えて、残置端末である通信端末４０２が存在しない場合には、無線ＬＡＮ−ＡＰ１０１のＥＳＳＩＤと、無線ＬＡＮ−ＡＰ１０１一緒に持ち出される通信端末（以下、「持ち出し端末」と呼ぶ）である通信端末４０１のＥＳＳＩＤとを変更させないようにして、持ち出し端末である通信端末４０１の通信可能性を向上させるようにしている。
【００４１】
無線ＬＡＮ−ＡＰ１０１は、請求項における無線ＬＡＮアクセスポイント装置に相当する。また、ＥＳＳＩＤ「ＡＡＡ」は請求項における第１のＥＳＳＩＤに、残置端末（通信端末４０２）は請求項における第１の無線ＬＡＮステーション装置に、通信端末４０１のＭＡＣアドレスは請求項における識別情報に、持ち出し端末（通信端末４０１）は請求項における第２の無線ＬＡＮステーション装置に、ＭＡＣアドレスリスト格納部１２２は請求項における識別情報格納部に、それぞれ相当する。
【００４２】
Ａ２．ＥＳＳＩＤ設定処理：
図５は、第１実施形態におけるＥＳＳＩＤ設定処理の手順を示すフローチャートである。ＥＳＳＩＤ設定処理は、無線ＬＡＮ−ＡＰ１０１が無線ＬＡＮステーションと無線接続する際に用いる無線ＬＡＮ用プロファイルの各設定項目のうち、ＥＳＳＩＤを設定するための処理である。無線ＬＡＮ−ＡＰ１０１では、電源がオンするとＥＳＳＩＤ設定処理が実行される。なお、無線ＬＡＮ−ＡＰ１０１には、予めＥＳＳＩＤの初期値として図１に示す「ＡＡＡ」が設定されている。
【００４３】
状態変化検知部１１４は、無線ＬＡＮ−ＡＰ１０１の設置状態が載置状態から持ち出し状態に変化したこと、または、変化が予測されることの有無を特定する処理（以下、「変化有無特定処理」と呼ぶ）を実行する（ステップＳ１０５）。図６は、第１実施形態における変化有無特定処理の詳細手順を示すフローチャートである。状態変化検知部１１４は、装着状態検出部１３２による検知結果に基づき、ポート１３１にネットワークケーブルが装着されているか否かを判定する（ステップＳ２０５）。
【００４４】
ポート１３１にネットワークケーブルが装着されていると判定されると（ステップＳ２０５：ＹＥＳ）、状態変化検知部１１４は、設置状態の変化または変化予測が無いと特定する（ステップＳ２１０）。ポート１３１にネットワークケーブルが装着されていることは、無線ＬＡＮ−ＡＰ１０１は載置状態であることを意味する。したがって、この場合、設置状態は載置状態から持ち出し状態に変化しておらず、また、その変化も予測されない。
【００４５】
これに対して、ポート１３１にネットワークケーブルが装着されていないと判定されると（ステップＳ２０５：ＮＯ）、状態変化検知部１１４は、設置状態の変化または変化予測が有ると特定する（ステップＳ２１５）。ポート１３１にネットワークケーブルが装着されていないことは、ポート１３１からネットワークケーブルが外されて図２に示すように、無線ＬＡＮ−ＡＰ１０１の設置状態が持ち出し状態であること、または、ポート１３１からネットワークケーブルが外されているが、無線ＬＡＮ−ＡＰ１０１は、未だオフィス内に配置されており、これから外出先に持ち出されることが予測されることを意味する。
【００４６】
図５に戻って、状態変化検知部１１４は、ステップＳ１０５の結果に基づき、無線ＬＡＮ−ＡＰ１０１の設置状態の変化または変化予測が有るか否かを判定する（ステップＳ１１０）。設置状態の変化または変化予測が無いと判定されると（ステップＳ１１０：ＮＯ）、前述のステップＳ１０５に戻る。したがって、この場合、無線ＬＡＮ−ＡＰ１０１の無線ＬＡＮ用プロファイルのＥＳＳＩＤは変化しない。
【００４７】
これに対して、設置状態の変化または変化予測が有ると判定されると（ステップＳ１１０：ＹＥＳ）、第２装置特定部１１６は、現在設定されているＥＳＳＩＤ（最初実行される場合には、初期値「ＡＡＡ」）と同じＥＳＳＩＤの他の無線ＬＡＮ−ＡＰが無線通信可能な範囲に存在するか否かを特定する（ステップＳ１１５）。具体的には、第２装置特定部１１６は、無線ＬＡＮ通信部１４０を無線ＬＡＮステーションとして動作させ、アクティブスキャンまたはパッシブスキャンを実行して、同じＥＳＳＩＤが設定された他の無線ＬＡＮ−ＡＰの有無を特定する。
【００４８】
同じＥＳＳＩＤの他の無線ＬＡＮ−ＡＰが無線通信可能な範囲に存在しないと判定された場合（ステップＳ１１５：ＮＯ）、前述のステップＳ１０５に戻る。したがって、この場合、無線ＬＡＮ−ＡＰ１０１の無線ＬＡＮ用プロファイルのＥＳＳＩＤは変化しない。例えば、仮に、図１に示す無線ＬＡＮ−ＡＰ１０２が存在しない場合、無線ＬＡＮ−ＡＰ１０１の設置状態が持ち出し状態に変化すると、通信端末４０２は、無線接続可能な無線ＬＡＮ−ＡＰを失うこととなる。したがって、この場合、通信端末４０２の通信可能性は低下する一方、ＥＳＳＩＤが変化しないため、無線ＬＡＮ−ＡＰ１０１と一緒に持ち出される通信端末４０１の通信可能性は低下せずに済む。
【００４９】
これに対して、同じＥＳＳＩＤの他の無線ＬＡＮ−ＡＰが無線通信可能な範囲に存在すると判定された場合（ステップＳ１１５：ＹＥＳ）、第１装置特定部１１５は、残置端末が無線通信可能な範囲に存在するか否かを判定する（ステップＳ１２０）。具体的には、第１装置特定部１１５は、現在無線接続されている通信端末のうち、ＭＡＣアドレスリスト格納部１２２に格納されているリスト（外出先に持ち出される可能性のある通信端末のＭＡＣアドレスのリスト）に記載されていないＭＡＣアドレスを有する通信端末が存在する場合、残置端末が無線通信可能な範囲に存在すると判定する。他方、かかるリストに記載されていない通信端末が存在しない場合、つまり、現在無線接続されているすべての通信端末のＭＡＣアドレスがリストに記載されている場合、残置端末が無線通信可能な範囲に存在しないと判定する。図１の例では、無線ＬＡＮ−ＡＰ１０１には、２台の通信端末４０１，４０２が無線接続されており、これらのうち、通信端末４０２については、そのＭＡＣアドレスがＭＡＣアドレスリストに記載されていないので、残置端末が存在すると判定されることになる。
【００５０】
残置端末が無線通信可能な範囲に存在しないと判定されると（ステップＳ１２０：ＮＯ）、前述のステップＳ１０５に戻る。したがって、この場合、無線ＬＡＮ−ＡＰ１０１の無線ＬＡＮ用プロファイルのＥＳＳＩＤは変化しない。
【００５１】
図７は、通信端末４０２が存在しない状況で、無線ＬＡＮ−ＡＰ１０１および通信端末４０１が外出先に持ち出された場合のネットワークシステム５００の構成を示す説明図である。図７に示すように、ネットワークシステム５００において通信端末４０２が存在しない場合、無線ＬＡＮ−ＡＰ１０１のＥＳＳＩＤは、「ＡＡＡ」のまま変化しないこととなる。このため、無線ＬＡＮ−ＡＰ１０１と一緒に持ち出される通信端末４０１の通信可能性は低下せずに済む。加えて、オフィス内においてＥＳＳＩＤ「ＡＡＡ」が設定された無線ＬＡＮに残置端末は存在しないので、無線ＬＡＮ−ＡＰ１０１が持ち出されたとしても通信可能性が低下する残置端末は存在しない。
【００５２】
これに対して、図５に示すように、残置端末が無線通信可能な範囲に存在すると判定されると（ステップＳ１２０：ＹＥＳ）、ＥＳＳＩＤ設定部１１７は、無線ＬＡＮ用プロファイルのＥＳＳＩＤの値を変更する（ステップＳ１２５）。図１の例では、通信端末４０２（残置端末）が無線通信可能な範囲に存在すると判定されるため、図２に示すように、無線ＬＡＮ−ＡＰ１０１のＥＳＳＩＤの値が「ＡＡＡ」から「ＣＣＣ」に変更される。このようにＥＳＳＩＤの値が変更されるため、残置端末である通信端末４０２は、無線ＬＡＮ−ＡＰ１０１から無線受信する信号強度の大きさに関わらず、無線ＬＡＮ−ＡＰ１０１に継続して再接続することを停止し、同じＥＳＳＩＤ「ＡＡＡ」が設定されている他の無線ＬＡＮ−ＡＰである無線ＬＡＮ−ＡＰ１０２に無線接続先を直ぐに変更する。このため、通信端末４０２の通信可能性の低下を抑制できる。
【００５３】
前述のステップＳ１２５の完了後、ＥＳＳＩＤ設定部１１７は、タグ用リーダライタ１７０を制御して、変更後のＥＳＳＩＤの値を含む無線ＬＡＮ用プロファイルを、ＮＦＣタグ１７１に書き込む（ステップＳ１３０）。
【００５４】
前述のステップＳ１２５およびＳ１３０が実行される場合、無線ＬＡＮ−ＡＰ１０１のＥＳＳＩＤは変更されるため、無線ＬＡＮ−ＡＰ１０１と一緒に持ち出される通信端末４０１は、一時的に無線接続先を失うこととなる。しかしながら、後述するプロファイル送信処理および無線接続処理が実行されることにより、通信端末４０１の通信可能性の低下が抑制される。
【００５５】
Ａ３．プロファイル送信処理：
図８は、第１実施形態におけるプロファイル送信処理の手順を示すフローチャートである。無線ＬＡＮ−ＡＰ１０１および通信端末４０１では、互いに所定距離以下に近接してＮＦＣデバイスを検出すると、プロファイル送信処理が実行される。なお、前述の「所定距離以下に近接」とは、無線ＬＡＮ−ＡＰ１０１と通信端末４０１とがＮＦＣにおける最大通信距離以下の距離（例えば、十数センチメートル以下の距離）だけ離れた位置に配置することを意味し、例えば、無線ＬＡＮ−ＡＰ１０１と通信端末４０１とが互いに接触することも含む。
【００５６】
まず、無線ＬＡＮ−ＡＰ１０１の近接無線通信部１６０と、通信端末４０１の近接無線通信部４６０との間において、ＮＦＣの通信経路が確立される（ステップＳ３０５）。無線ＬＡＮ−ＡＰ１０１の近接無線通信部１６０は、タグ用リーダライタ１７０を制御してＮＦＣタグ１７１に書き込まれている無線ＬＡＮ用プロファイルを、ＮＦＣを利用して通信端末４０１に送信する（ステップＳ３１０）。上述したＥＳＳＩＤ設定処理のステップＳ１２５およびＳ１３０が実行されてＮＦＣタグ１７１に変更後のＥＳＳＩＤを含む無線ＬＡＮ用プロファイルが記憶されていると、このステップＳ３１０により、かかる無線ＬＡＮ用プロファイルが通信端末４０１に送信される。
【００５７】
通信端末４０１において、候補プロファイル受信部４１３は、無線ＬＡＮ用プロファイルを無線ＬＡＮ−ＡＰ１０１から受信し、受信した無線ＬＡＮ用プロファイルを、候補プロファイルとして候補プロファイル格納部４２２に格納する（ステップＳ３１５）。その後、無線ＬＡＮ−ＡＰ１０１と通信端末４０１とが互いに遠ざけされると、ＮＦＣの通信経路は切断される（ステップＳ３２０）。
【００５８】
以上のプロファイル送信処理により、無線ＬＡＮ−ＡＰ１０１においてＥＳＳＩＤが変更された場合に、変更後のＥＳＳＩＤを含む無線ＬＡＮ用プロファイルが、通信端末４０１において候補プロファイルとして記憶されることになる。
【００５９】
Ａ４．無線接続処理：
図９は、第１実施形態における無線接続処理の手順を示すフローチャートである。ネットワークシステム５００の各通信端末４０１〜４０３では、電源がオンすると、無線接続処理が実行される。なお、以下では、通信端末４０１を代表して手順を説明する。
【００６０】
通信端末４０１の無線ＬＡＮ通信部４４０は、無線ＬＡＮ−ＡＰとの間の無線接続が切断されるまで待機しており（ステップＳ４０５）、無線接続が切断されると（ステップＳ４０５：ＹＥＳ）、切断された無線接続において通信対象であった無線ＬＡＮ−ＡＰのＥＳＳＩＤと同じＥＳＳＩＤが設定されている他の無線ＬＡＮ−ＡＰ（以下、「ローミング候補ＡＰ」と呼ぶ）の有無を判定する（ステップＳ４１０）。具体的には、無線ＬＡＮ通信部４４０は、周囲の無線ＬＡＮ−ＡＰから出力されるビーコンにより無線ＬＡＮ−ＡＰ１０１に設定されているＥＳＳＩＤ「ＡＡＡ」と同じＥＳＳＩＤが設定されているローミング候補ＡＰの有無を判定する。
【００６１】
ローミング候補ＡＰが存在すると判定されると（ステップＳ４１０：ＹＥＳ）、無線ＬＡＮ通信部４４０は、該当するローミング候補ＡＰとの間で無線接続を行なう（ステップＳ４１５）。例えば、図１の接続状態から図２の接続状態に変更した場合、通信端末４０２は、無線ＬＡＮ−ＡＰ１０１との間の無線通信が切断されるため、無線ＬＡＮ−ＡＰ１０１のＥＳＳＩＤである「ＡＡＡ」と同じＥＳＳＩＤが設定された無線ＬＡＮ−ＡＰ１０２と無線接続を行なう。また、無線ＬＡＮ−ＡＰ１０１においてＥＳＳＩＤが変更された直後であり、通信端末４０１が未だ外出先に持ち出されておらず且つ前述のプロファイル送信処理が完了する前には、通信端末４０１は、通信端末４０２と同様に無線ＬＡＮ−ＡＰ１０２と無線接続を行なう。
【００６２】
前述のステップＳ４１０において、ローミング候補ＡＰが存在しないと判定されると（ステップＳ４２０）、無線ＬＡＮ通信部４４０は、候補プロファイル格納部４２２に格納されている候補プロファイルを利用して接続可能な無線ＬＡＮ−ＡＰが存在するか否かを判定する（ステップＳ４２０）。具体的には、例えば、周囲の無線ＬＡＮ−ＡＰから出力されるビーコンを解析して、候補プロファイルに含まれるＥＳＳＩＤや暗号化方式等と同じ情報が含まれるビーコンが存在するか否かにより、接続可能な無線ＬＡＮ−ＡＰの存在の有無を判定する。候補プロファイルを利用して接続可能な無線ＬＡＮ−ＡＰが存在すると判定されると（ステップＳ４２０：ＹＥＳ）、無線ＬＡＮ通信部４４０は、該当の候補プロファイルを利用して、該当の無線ＬＡＮ−ＡＰに無線接続する（ステップＳ４２５）。これに対して、候補プロファイルを利用して接続可能な無線ＬＡＮ−ＡＰが存在しないと判定されると（ステップＳ４２０：ＮＯ）、かかる無線ＬＡＮ−ＡＰが存在すると判定されるまで、ステップＳ４２０を繰り返し実行する。
【００６３】
例えば、図２に示すように、ＥＳＳＩＤが変更された後の無線ＬＡＮ−ＡＰ１０１と通信端末４０１とが一緒に外出先に持ち出されて、無線ＬＡＮ−ＡＰ１０２から出力されるビーコンを受信できなくなると、通信端末４０１では、前述のステップＳ４１０においてローミング候補ＡＰが存在しないと判定されることになる。ここで、前述のプロファイル送信処理により、変更後のＥＳＳＩＤを含む無線ＬＡＮ用プロファイルが候補プロファイルとして通信端末４０１に格納されると、前述のステップＳ４１０においてローミング候補ＡＰが存在すると判定され、通信端末４０１は、かかる候補プロファイルを利用して無線ＬＡＮ−ＡＰ１０１に無線接続することになる。なお、前述のステップＳ４２０が前述のプロファイル送信処理よりも先に実行された場合、変更後のＥＳＳＩＤを含む無線ＬＡＮ用プロファイルが候補プロファイル格納部４２２に格納されていない。したがって、この場合、プロファイル送信処理が完了するまで、ステップＳ４２０が繰り返し実行されることになる。
【００６４】
上述のように、通信端末４０１の無線接続先は、図１の接続状態においては無線ＬＡＮ−ＡＰ１０１であり、無線ＬＡＮ−ＡＰ１０１においてＥＳＳＩＤが変更されると一時的に無線ＬＡＮ−ＡＰ１０２に変更し、プロファイル送信処理が完了した後において再び無線ＬＡＮ−ＡＰ１０１に変更することになる。以上のように、プロファイル送信処理および無線接続処理が実行されることにより、無線ＬＡＮ−ＡＰ１０１のＥＳＳＩＤが変更した場合であっても、通信端末４０１の無線接続先の無線ＬＡＮ−ＡＰが失われることを抑制し、通信端末４０１の通信可能性の低下を抑制できる。
【００６５】
以上説明した第１実施形態の無線ＬＡＮ−ＡＰ１０１では、無線ＬＡＮ−ＡＰ１０１の設置状態が変化した場合または変化が予測される場合に、残置端末が有ると判定され、かつ、ローミング候補ＡＰが有ると判定されると、ＥＳＳＩＤを変更するので、残置端末が無線ＬＡＮ−ＡＰ１０１に継続して再接続することを停止し、ローミング候補ＡＰである無線ＬＡＮ−ＡＰ１０２に無線接続先を直ぐに変更させることができる。このため、残置端末の通信可能性の低下を抑制できる。加えて、残置端末が無いと判定された場合、または、ローミング候補ＡＰが無いと判定された場合には、ＥＳＳＩＤを変更しないので、持ち出し端末の通信可能性の低下を抑制できる。
【００６６】
また、ポート１３１へのネットワークケーブルの装着の有無によって、無線ＬＡＮ−ＡＰ１０１の設置状態が変化すること、または、変化が予測されることの有無を特定するので、かかる特定を簡易に且つ短時間で実行できる。
【００６７】
また、無線ＬＡＮ−ＡＰ１０１のＥＳＳＩＤが変更した場合に、プロファイル送信処理により変更後のＥＳＳＩＤを含む候補プロファイルを通信端末４０１に格納させることができる。このため、持ち出し状態の無線ＬＡＮ−ＡＰ１０１に無線接続するために、利用者が通信端末４０１において無線ＬＡＮ用プロファイルを設定する作業を省略できる。加えて、プロファイル送信処理は、無線ＬＡＮ−ＡＰ１０１と通信端末４０１とが所定距離以下に近づいたことを契機として開始されるので、利用者は、無線ＬＡＮ−ＡＰ１０１と通信端末４０１とを近づけることだけで、変更後のＥＳＳＩＤを含む候補プロファイルを通信端末４０１に格納させることができる。したがって、利用者は、無線ＬＡＮ−ＡＰ１０１と通信端末４０１とを一緒に持ち出す際に、例えば、同じバッグ内に無線ＬＡＮ−ＡＰ１０１と通信端末４０１とを収納するという簡単な作業を行なうだけで、通信端末４０１に候補プロファイルを格納させることができる。また、プロファイル送信処理では、ＮＦＣにより変更後のＥＳＳＩＤを含む無線ＬＡＮ用プロファイルを送信するので、利用者が無線ＬＡＮ−ＡＰ１０１に近づけた通信端末４０１にのみ、無線ＬＡＮ用プロファイルを格納させることができる。このため、意図しない通信端末に対して無線ＬＡＮ用プロファイルを送信することを抑制できる。
【００６８】
また、予め外出先に持ち出される可能性のある通信端末のＭＡＣアドレスが記載されたリストを用意しておき、かかるリストに基づき残置端末の有無を判定するので、かかる判定を容易に且つ短時間に実行できる。
【００６９】
Ｂ．第２実施形態：
図１０および図１１は、第２実施形態の無線ＬＡＮアクセスポイント装置を適用したネットワークシステムの概略構成を示す説明図である。第２実施形態のネットワークシステム５００ａのシステム構成は、無線ＬＡＮ−ＡＰ１０１に代えて無線ＬＡＮ−ＡＰ１０１ａを備えている点と、クレードル２００を追加して備える点とにおいて、図１および図２に示す第１実施形態のネットワークシステム５００のシステム構成と異なる。第２実施形態のネットワークシステム５００ａの他の構成要素については、第１実施形態のネットワークシステム５００の構成要素と同じであるので、同一の構成要素には同一の符号を付し、その詳細な説明を省略する。
【００７０】
図１０および図１１に示すように、第２実施形態の無線ＬＡＮ−ＡＰ１０１ａは、クレードル２００に着脱自在に接続され得る。無線ＬＡＮ−ＡＰ１０１ａとクレードル２００とは、ＵＳＢ（Universal Serial Bus）インターフェイスにより接続されている。そして、無線ＬＡＮ−ＡＰ１０１ａは、クレードル２００に接続されている状態において、クレードル２００を介して有線ＬＡＮ１１に接続されている。
【００７１】
図１２は、第２実施形態の無線ＬＡＮ−ＡＰ１０１ａの詳細構成を示すブロック図である。第２実施形態の無線ＬＡＮ−ＡＰ１０１ａは、有線ＬＡＮ通信部１３０を備えていない点と、クレードル接続インターフェイス部１８０を備えている点とにおいて、図３に示す第１実施形態の無線ＬＡＮ−ＡＰ１０１と異なる。無線ＬＡＮ−ＡＰ１０１ａの他の構成要素については、第１実施形態の無線ＬＡＮ−ＡＰ１０１と同じであるので、同一の構成要素には同一の符号を付し、その詳細な説明を省略する。
【００７２】
クレードル接続インターフェイス部１８０は、ＵＳＢホストコントローラーとしての機能を有しており、無線ＬＡＮ−ＡＰ１０１ａがクレードル２００に接続されているとき、ＵＳＢ規格に則ってクレードル２００との間でデータの送受信を行う。また、クレードル接続インターフェイス部１８０は、無線ＬＡＮ−ＡＰ１０１ａがクレードル２００に接続されているとき、クレードル２００から供給される電力を無線ＬＡＮ−ＡＰ１０１ａが有する図示しないバッテリーに受け渡す。クレードル接続インターフェイス部１８０は、ＵＳＢ規格における装置間の接続検出シーケンス（例えば、Ｄ＋，Ｄ−のいずれかが３．３Ｖとなる場合に接続と検出）に従って、無線ＬＡＮ−ＡＰ１０１ａとクレードル２００との接続の有無を監視する。なお、クレードル接続インターフェイス部１８０は請求項における装着特定部に相当する。
【００７３】
図１３は、第２実施形態におけるクレードル２００の概略構成を示すブロック図である。クレードル２００は、無線ＬＡＮ−ＡＰ１０１ａを載置するためのスタンドとしての機能、無線ＬＡＮ−ＡＰ１０１ａに電力を中継する装置としての機能、および無線ＬＡＮ−ＡＰ１０１ａを有線ＬＡＮ１１に接続させるための機能を有する。クレードル２００は、無線ＬＡＮ−ＡＰ接続インターフェイス部２１０と、有線ＬＡＮ通信部２２０とを備えている。無線ＬＡＮ−ＡＰ接続インターフェイス部２１０と有線ＬＡＮ通信部２２０とは、互いに内部バス２３０により接続されている。
【００７４】
無線ＬＡＮ−ＡＰ接続インターフェイス部２１０は、ＵＳＢデバイスコントローラーとしての機能を有しており、無線ＬＡＮ−ＡＰ１０１ａがクレードル２００に接続されているとき、ＵＳＢ規格に則って無線ＬＡＮ−ＡＰ１０１ａとの間でデータの送受信を行う。有線ＬＡＮ通信部２２０は、ポート２２１を含む有線ＬＡＮ１１に接続するためのインターフェイスを有する。ポート２２１には、ネットワークケーブルが装着され得る。有線ＬＡＮ通信部２２０は、有線ＬＡＮ１１におけるデータ形式と、無線ＬＡＮ−ＡＰ１０１ａとクレードル２００との間におけるデータ形式とを相互に変換する。
【００７５】
第２実施形態におけるＥＳＳＩＤ設定処理は、変化有無特定処理（ステップＳ１０５）の具体的な手順において第１実施形態のＥＳＳＩＤ設定処理と異なり、他の手順は、第１実施形態のＥＳＳＩＤ設定処理と同じである。また、第２実施形態におけるプロファイル送信処理および無線接続処理は、第１実施形態におけるプロファイル送信処理および無線接続処理と同じである。
【００７６】
図１４は、第２実施形態における変化有無特定処理の手順を示すフローチャートである。第２実施形態における変化有無特定処理は、ステップＳ２０５に代えて、ステップＳ２０５ａを実行する点において、図６に示す第１実施形態の変化有無特定処理と異なる。第２実施形態における変化有無特定処理のその他の手順については、第１実施形態における変化有無特定処理の手順と同じであるので、同一の手順には同一の符号を付し、その詳細な説明を省略する。
【００７７】
図１４に示すように、状態変化検知部１１４は、クレードル接続インターフェイス部１８０による無線ＬＡＮ−ＡＰ１０１ａとクレードル２００との接続の有無の監視結果に基づき、無線ＬＡＮ−ＡＰ１０１ａがクレードル２００に装着されているか否かを判定する（ステップＳ２０５ａ）。
【００７８】
無線ＬＡＮ−ＡＰ１０１ａがクレードル２００に装着されていることは、無線ＬＡＮ−ＡＰ１０１ａは載置状態であることを意味する。そこで、無線ＬＡＮ−ＡＰ１０１ａがクレードル２００に装着されていると判定されると（ステップＳ２０５ａ：ＹＥＳ）、前述のステップＳ２１０が実行される。つまり、設置状態の変化または変化予測が無いと特定される。
【００７９】
これに対して、無線ＬＡＮ−ＡＰ１０１ａがクレードル２００に装着されていないことは、無線ＬＡＮ−ＡＰ１０１ａがクレードル２００から外されて無線ＬＡＮ−ＡＰ１０１ａの設置状態が持ち出し状態であること、または、無線ＬＡＮ−ＡＰ１０１ａがクレードル２００から外されてこれから外出先に持ち出されることが予測されることを意味する。そこで、無線ＬＡＮ−ＡＰ１０１ａがクレードル２００に装着されていないと判定されると（ステップＳ２０５ａ：ＮＯ）、前述のステップＳ２１５が実行される。つまり、設置状態の変化または変化予測が有ると特定される。
【００８０】
以上の構成を有する第２実施形態の無線ＬＡＮ−ＡＰ１０１ａも、第１実施形態の無線ＬＡＮ−ＡＰ１０１と同様な効果を有する。
【００８１】
Ｃ．第３実施形態：
図１５は、第３実施形態の無線ＬＡＮ−ＡＰ１０１ｂの詳細構成を示すブロック図である。第３実施形態のネットワークシステムは、無線ＬＡＮ−ＡＰ１０１に代えて無線ＬＡＮ−ＡＰ１０１ｂを備える点において、図１および図２に示す第１実施形態のネットワークシステム５００のシステム構成と異なり、他の構成要素は、第１実施形態のネットワークシステム５００と同じである。
【００８２】
図１５に示す第３実施形態の無線ＬＡＮ−ＡＰ１０１ｂは、姿勢検出センサー１８５を備える点において、図３に示す第１実施形態の無線ＬＡＮ−ＡＰ１０１と異なる。第３実施形態の無線ＬＡＮ−ＡＰ１０１ｂの他の構成要素については、第１実施形態の無線ＬＡＮ−ＡＰ１０１の構成要素と同じであるので、同一の構成要素には同一の符号を付し、その詳細な説明を省略する。
【００８３】
姿勢検出センサー１８５は、無線ＬＡＮ−ＡＰ１０１ｂの姿勢を検出する。具体的には、無線ＬＡＮ−ＡＰ１０１ｂの筐体表面のうち、いずれの面が鉛直上方に位置しているかという姿勢を検出する。また、姿勢検出センサー１８５は定期的に無線ＬＡＮ−ＡＰ１０１ｂの姿勢を検出しており、かかる姿勢の経時変化を検出できる。本実施形態では、姿勢検出センサー１８５は、加速度センサーにより構成されている。なお、姿勢検出センサー１８５は、請求項におけるセンサーに相当する。
【００８４】
図１６は、第３実施形態における変化有無特定処理の手順を示すフローチャートである。第３実施形態における変化有無特定処理は、ステップＳ２０５に代えて、ステップＳ２０５ｂを実行する点において、図６に示す第１実施形態の変化有無特定処理と異なる。第２実施形態における変化有無特定処理のその他の手順については、第１実施形態における変化有無特定処理の手順と同じであるので、同一の手順には同一の符号を付し、その詳細な説明を省略する。
【００８５】
図１６に示すように、状態変化検知部１１４は、姿勢検出センサー１８５による無線ＬＡＮ−ＡＰ１０１ｂの姿勢の検出結果に基づき、無線ＬＡＮ−ＡＰ１０１ｂの姿勢に変化が有るか否かを判定する（ステップＳ２０５ｂ）。
【００８６】
無線ＬＡＮ−ＡＰ１０１ｂの姿勢が変化することは、利用者が無線ＬＡＮ−ＡＰ１０１ｂを持ち出すために、無線ＬＡＮ−ＡＰ１０１ｂを把持して持ち上げる等したことが推定される。そこで、無線ＬＡＮ−ＡＰ１０１ｂの姿勢の変化が有ると判定されると（ステップＳ２０５ｂ：ＹＥＳ）、前述のステップＳ２１５が実行される。つまり、設置状態の変化または変化予測が有ると特定される。これに対して、無線ＬＡＮ−ＡＰ１０１ｂの姿勢に変化が無いと判定されると（ステップＳ２０５ｂ：ＮＯ）、前述のステップＳ２１０が実行される。つまり、設置状態の変化または変化予測が無いと特定される。
【００８７】
以上の構成を有する第３実施形態の無線ＬＡＮ−ＡＰ１０１ｂも、第１実施形態の無線ＬＡＮ−ＡＰ１０１と同様な効果を有する。
【００８８】
Ｄ．第４実施形態：
第４実施形態のネットワークシステムの概略構成は、図１および図２に示す第１実施形態のネットワークシステム５００の概略構成と同じである。第４実施形態における無線ＬＡＮ−ＡＰの構成は、図１５に示す第３実施形態の無線ＬＡＮ−ＡＰ１０１ｂと同じである。但し、第４実施形態の無線ＬＡＮ−ＡＰは、いわゆるマルチＳＳＩＤに対応しており、同時に複数の無線ＬＡＮ用プロファイルを用いて無線ＬＡＮステーションと無線接続することができる。換言すると、第４実施形態の無線ＬＡＮ−ＡＰは、複数のＢＳＳＩＤ（Basic Service Set Identifier）を同時に設定可能であり、それぞれのＢＳＳＩＤに対して異なるＥＳＳＩＤを対応付けることができる。
【００８９】
図１７は、第４実施形態におけるＥＳＳＩＤ設定処理の手順を示すフローチャートである。第４実施形態におけるＥＳＳＩＤ設定処理は、ステップＳ１３５〜Ｓ１６０を追加して実行する点において、図５に示す第１実施形態のＥＳＳＩＤ設定処理と異なる。第４実施形態におけるＥＳＳＩＤ設定処理の他の手順は、第１実施形態のＥＳＳＩＤ設定処理と同じであるので、同一の手順には同一の符号を付し、その詳細な説明を省略する。
【００９０】
第４実施形態のＥＳＳＩＤ設定処理では、無線ＬＡＮ−ＡＰの設置状態が載置状態から持ち出し状態に変化する場合又は変化が予測される場合に、ローミング候補ＡＰの有無や残置端末の有無に応じてＥＳＳＩＤを変化させる点は、第１実施形態と同じである。第４実施形態のＥＳＳＩＤ設定処理では、かかるＥＳＳＩＤの変化に加えて、無線ＬＡＮ−ＡＰの向きに応じて、所定のＥＳＳＩＤおよびＢＳＳＩＤを含む無線ＬＡＮ用プロファイルの追加や削除を行なう。
【００９１】
具体的には、前述のステップＳ１１０において、設置状態の変化または変化予測が無いと判定されると（ステップＳ１１０：ＮＯ）、状態変化検知部１１４は、姿勢検出センサー１８５による無線ＬＡＮ−ＡＰの姿勢の検出結果に基づき、無線ＬＡＮ−ＡＰの向きを特定する（ステップＳ１３５）。本実施形態では、無線ＬＡＮ−ＡＰは、他の面に比べて大きな表面と裏面とを有する外観形状を有し、表面および裏面のいずれか一方の面が机や床等に接し、他方の面が鉛直上方を向くように配置される。以降では、表面が鉛直上方を向く場合の無線ＬＡＮ−ＡＰの向きを「表」と呼び、裏面が鉛直上方を向く場合の無線ＬＡＮ−ＡＰの向きを「裏」と呼ぶ。したがって、ステップＳ１３５では、無線ＬＡＮ−ＡＰの向きとして、「表」または「裏」のいずれかが特定される。
【００９２】
状態変化検知部１１４は、ステップＳ１３５において特定された無線ＬＡＮ−ＡＰの向きと、前回ステップＳ１３５が実行された際に特定された向きとに基づき、無線ＬＡＮ−ＡＰの向きに変化が有るか否かを判定する（ステップＳ１４０）。無線ＬＡＮ−ＡＰの向きに変化が無いと判定されると（ステップＳ１４０：ＮＯ）、前述のステップＳ１０５に戻る。したがって、この場合、ＥＳＳＩＤの変化、および後述するＥＳＳＩＤの追加（無線ＬＡＮ用プロファイルの追加）は生じない。
【００９３】
これに対して、無線ＬＡＮ−ＡＰの向きに変化が有ると判定されると（ステップＳ１４０：ＹＥＳ）、状態変化検知部１１４は、かかる向きの変化が表から裏への変化であるか否かを判定する（ステップＳ１４５）。かかる向きの変化が表から裏への変化であると判定されると（ステップＳ１４５：ＹＥＳ）、ＥＳＳＩＤ設定部１１７は、所定のＥＳＳＩＤを含む無線ＬＡＮ用プロファイルを追加する（ステップＳ１５０）。本実施形態では、ステップＳ１５０で追加される無線ＬＡＮ用プロファイルは、予め無線ＬＡＮ用プロファイル格納部１２１に格納されている。また、この第１のＥＳＳＩＤは、初期状態において無線ＬＡＮ−ＡＰに設定されているＥＳＳＩＤである「ＡＡＡ」とは異なる値であり、本実施形態では、「ＤＤＤ」である。
【００９４】
図１８は、第４実施形態における無線ＬＡＮ−ＡＰが適用されたネットワークシステム５００ｂの概略構成を示す説明図である。第４実施形態のネットワークシステム５００ｂのシステム構成は、無線ＬＡＮ−ＡＰ１０１に代えて、無線ＬＡＮ−ＡＰ１０１ｅを備えている点において、第１実施形態のネットワークシステム５００のシステム構成と異なり、他の構成要素は、ネットワークシステム５００と同じである。図１８では、ステップＳ１５０が実行された後のネットワークシステム５００ｂの構成を示す。
【００９５】
図１８に示すように、利用者により無線ＬＡＮ−ＡＰ１０１ｅの向きが表から裏に変更されると、無線ＬＡＮ−ＡＰ１０１ｅには、ＥＳＳＩＤが「ＤＤＤ」である無線ＬＡＮ用プロファイルが追加される。このため、通信端末４０１において、利用者が候補プロファイル格納部４２２に格納されている候補プロファイルのうちから、ＥＳＳＩＤが「ＤＤＤ」に設定されているプロファイルを選択して無線接続を開始させると、無線ＬＡＮ−ＡＰ１０１ｅと通信端末４０１とで、無線ＬＡＮが形成される。このとき、ＥＳＳＩＤとして初期値の「ＡＡＡ」に設定されている無線ＬＡＮ用プロファイルは、そのまま残っているので、通信端末４０２は、無線ＬＡＮ−ＡＰ１０１ｅと継続して無線接続できる。したがって、無線ＬＡＮ−ＡＰ１０１ｅの向きを表から裏に変更させるという簡易な作業のみで、所定の無線ＬＡＮ用プロファイルが設定されている通信端末４０１のみが所属可能な無線ＬＡＮを、新たに形成できるとともに、既に無線接続している通信端末４０２の通信可能性が低減されることを抑制できる。
【００９６】
図１７に戻って、無線ＬＡＮ−ＡＰの向きの変化が裏から表への変化でないと判定されると（ステップＳ１４５：ＮＯ）、状態変化検知部１１４は、無線ＬＡＮ−ＡＰの向きの変化が裏から表への変化であるか否かを判定する（ステップＳ１５５）。無線ＬＡＮ−ＡＰの向きの変化が裏から表への変化ではないと判定されると（ステップＳ１５５：ＮＯ）、前述のステップＳ１０５に戻る。したがって、この場合、ＥＳＳＩＤの変化、およびＥＳＳＩＤの追加（無線ＬＡＮ用プロファイルの追加）は生じない。
【００９７】
これに対して、無線ＬＡＮ−ＡＰの向きの変化が裏から表への変化であると判定されると（ステップＳ１５５：ＹＥＳ）、ＥＳＳＩＤ設定部１１７は、ステップＳ１５０で追加された第１のＥＳＳＩＤを含む無線ＬＡＮ用プロファイルを削除する（ステップＳ１６０）。したがって、例えば、図１８の接続状態において、利用者が無線ＬＡＮ−ＡＰ１０１ｅの向きを裏から表に変更すると（戻すと）、無線ＬＡＮ−ＡＰ１０１ｅにおいて、ＥＳＳＩＤが「ＤＤＤ」に設定されている無線ＬＡＮ用プロファイルが削除される。このため、通信端末４０１は無線接続不可能となる。但し、この場合、通信端末４０１は、ＥＳＳＩＤが「ＡＡＡ」である無線ＬＡＮ用プロファイルを用いて、表を向いた無線ＬＡＮ−ＡＰ１０１ｅに無線接続することができる。
【００９８】
以上説明した第４実施形態の無線ＬＡＮ−ＡＰ１０１ｅは、第１実施形態の無線ＬＡＮ−ＡＰ１０１および第３実施形態の１０１ｂと同様な効果を有する。加えて、無線ＬＡＮ−ＡＰ１０１ｅの向きが表から裏に変化すると、無線ＬＡＮ−ＡＰ１０１ｅにおいて、第１のＥＳＳＩＤを含む無線ＬＡＮ用プロファイルが追加される。このため、所定の無線ＬＡＮ用プロファイルが設定されている通信端末４０１のみが所属できる無線ＬＡＮを、新たに容易に形成できると共に、既に無線ＬＡＮ−ＡＰ１０１ｅに無線接続している通信端末４０２の通信可能性の低下を抑制できる。
【００９９】
Ｅ．第５実施形態：
図１９は、第５実施形態における無線ＬＡＮアクセスポイント装置の構成を示すブロック図である。無線ＬＡＮアクセスポイント装置６００には、第１のＥＳＳＩＤが設定されている。
【０１００】
無線ＬＡＮアクセスポイント装置６００は、状態変化検知部６１０と、第１装置特定部６２０と、第２装置特定部６３０と、ＥＳＳＩＤ設定部６４０とを備えている。
【０１０１】
状態変化検知部６１０は、無線ＬＡＮアクセスポイント装置の設置状態が変化したこと、または、設置状態の変化が予測されること、を検知する。
【０１０２】
第１装置特定部６２０は、無線ＬＡＮアクセスポイント装置の設置状態が変化した場合に無線ＬＡＮアクセスポイント装置から第１のＥＳＳＩＤが設定されている他の無線ＬＡＮアクセスポイント装置へのローミングを要する無線ＬＡＮステーション装置である第１の無線ＬＡＮステーション装置の有無を特定する。
【０１０３】
第２装置特定部６３０は、無線通信可能な範囲における他の無線ＬＡＮアクセスポイント装置の有無を特定する。
【０１０４】
ＥＳＳＩＤ設定部６４０は、無線ＬＡＮアクセスポイント装置のＥＳＳＩＤを設定する。ＥＳＳＩＤ設定部６４０は、設置状態が変化したこと、または、設置状態の変化が予測されることが検知されると、第１の無線ＬＡＮステーション装置が有ると特定された場合、かつ、他の無線ＬＡＮアクセスポイント装置が有ると特定された場合に、無線ＬＡＮアクセスポイント装置に設定されているＥＳＳＩＤを第１のＥＳＳＩＤから第２のＥＳＳＩＤに変更する。
【０１０５】
以上の構成を有する第５実施形態の無線ＬＡＮアクセスポイント装置６００によれば、第１の無線ＬＡＮステーション装置が有ると特定された場合、かつ、他の無線ＬＡＮアクセスポイント装置が有ると特定された場合、つまり、無線ＬＡＮアクセスポイント装置６００の設置状態が変化した場合にローミングを要する無線ＬＡＮステーション装置が有り、かつ、ローミング先となる同一のＥＳＳＩＤが設定されている他の無線ＬＡＮアクセスポイント装置が有る場合に、無線ＬＡＮアクセスポイント装置６００においてＥＳＳＩＤが第２のＥＳＳＩＤに変更される。このため、無線ＬＡＮアクセスポイント装置６００が持ち出される際に、第１の無線ＬＡＮステーション装置がこの無線ＬＡＮアクセスポイント装置６００に継続して再接続することを停止させ、他の無線ＬＡＮアクセスポイント装置に無線接続先を直ぐに変更させることができる。このため、第１の無線ＬＡＮステーション装置の通信可能性が低下することを抑制できる。
【０１０６】
Ｆ．変形例
Ｆ−１．変形例１：
第１実施形態の変化有無特定処理のステップＳ２０５では、ポート１３１にネットワークケーブルが装着されているか否かを、ポート１３１におけるリンク（すなわち、レイヤ２の通信経路）の状態によって検出していたが、リンクに代えて、物理的な装着状態（すなわち、レイヤ１での接続状態）によって検出してもよい。
【０１０７】
Ｆ−２．変形例２：
第２実施形態の変化有無特定処理のステップＳ２０５ａでは、無線ＬＡＮ−ＡＰ１０１ａがクレードル２００に装着されているか否かを、ＵＳＢ規格における装置間の接続検出シーケンス（例えば、Ｄ＋，Ｄ−のいずれかが３．３Ｖとなる場合に接続と検出）に従って検出していたが、本発明は、これに限定されるものではない。例えば、クレードル２００において、無線ＬＡＮ−ＡＰ１０１ａが装着された際に無線ＬＡＮ−ＡＰ１０１ａをロックする機構と、かかるロックを解除するためのボタンスイッチ等のスイッチを設ける構成を採用してもよい。そして、この構成において、スイッチがオンした際に（すなわち、ロックを解除させた際に）、所定の信号を無線ＬＡＮ−ＡＰ１０１ａのＣＰＵ１１０のＧＰＩＯ（General Purpose Input/Output）に入力させるようにする。そして、状態変化検知部１１４は、ＧＰＩＯにおいて所定の信号を受信した場合に、設置状態の変化または変化予測が有ると特定し、かかる信号を受信していない場合に、設置状態の変化または変化予測が無いと特定する。このような構成によっても、無線ＬＡＮ−ＡＰ１０１ａがクレードル２００に装着されているか否かを精度良く特定することができる。
【０１０８】
Ｆ−３．変形例３：
第３実施形態では、姿勢検出センサー１８５は、加速度センサーにより構成されていたが、本発明はこれに限定されるものではない。例えば、加速度センサーに代えて、照度センサーを用いて構成してもよい。この構成では、無線ＬＡＮ−ＡＰ１０１ｂの筐体のいずれかの面に照度センサーを配置する。無線ＬＡＮ−ＡＰ１０１ｂの姿勢が変化すると、かかるセンサーで検出される照度が変化する可能性が高い。そこで、変化有無特定処理のステップＳ２０５ｂでは、かかる照度の変化の有無を判定し、照度の変化が有る場合に設置状態の変化または変化予測が有ると判定し、照度の変化が無い場合に設置状態の変化または変化予測が無いと判定できる。同様に、第４実施形態のＥＳＳＩＤ設定処理のステップＳ１３５およびＳ１４０に代えて、照度の変化の有無を特定して、照度の変化が有る場合に向きの変化が有ると判定し、照度の変化が無い場合に向きの変化が無いと判定することができる。
【０１０９】
また、例えば、載置状態にある場合に接地して押下されるボタンスイッチを、無線ＬＡＮ−ＡＰ１０１ｂ、１０１ｅに配置し、かかるボタンスイッチの押下状態を示す信号をＣＰＵ１１０のＧＰＩＯに入力させるようにしてもよい。この構成では、状態変化検知部１１４は、ＧＰＩＯに入力される信号が変化した場合に設置状態の変化または変化予測が有ると判定し、かかる信号が変化しない場合に設置状態の変化または変化予測が無いと判定できる。同様に、第４実施形態のＥＳＳＩＤ設定処理のステップＳ１３５およびＳ１４０に代えて、ＧＰＩＯに入力される信号の変化を特定して、信号の変化が有る場合に向きの変化が有ると判定し、信号の変化が無い場合に向きの変化が無いと判定することができる。
【０１１０】
Ｆ−４．変形例４：
各実施形態のＥＳＳＩＤ設定処理のステップＳ１２０において残置端末の有無を判定する際に用いられるリストは、外出先に持ち出される可能性のある通信端末のＭＡＣアドレスが記載されたリストであったが、かかるリストに代えて、外出先に持ち出される可能性の無い通信端末のＭＡＣアドレスが記載されたリストを用いてもよい。この構成においても、かかるリストに挙げられたＭＡＣアドレスのいずれかが、現在無線接続されている通信端末のＭＡＣアドレスと一致した場合に、残置端末が有ると判定できる。
【０１１１】
Ｆ−５．変形例５：
各実施形態のＥＳＳＩＤ設定処理のステップＳ１２０において残置端末の有無を判定する際に用いられるリストは、ネットワークシステム５００の管理者により、予め記載されてＭＡＣアドレスリスト格納部１２２に格納されていたが、本発明はこれに限定されるものではない。例えば、管理者または利用者が、無線ＬＡＮ−ＡＰ１０１，１０１ａ，１０１ｂと共に通信端末を持ち出す際に、かかる通信端末のＭＡＣアドレスをリストに手入力して登録してもよい。この構成では、例えば、無線ＬＡＮ−ＡＰ１０１，１０１ａ，１０１ｂから通信端末に提供されるＷｅｂＵＩ（User Interface）を利用して入力してもよい。
【０１１２】
また、例えば、管理者または利用者が外出先に持ち出される可能性の有る通信端末のＭＡＣアドレスを手入力することに代えて、自動入力する構成を採用してもよい。具体的には、例えば、通信端末が、無線ＬＡＮ−ＡＰ１０１，１０１ａ，１０１ｂ，１０１ｅと共に持ち出される度に、無線ＬＡＮ−ＡＰ１０１，１０１ａ，１０１ｂ，１０１ｅにおいて、一緒に持ち出された通信端末のＭＡＣアドレスを記録しておき、持ち出された回数が所定回数（例えば、１回や複数回）以上の場合に、かかる通信端末のＭＡＣアドレスを、外出先に持ち出される可能性の有る通信端末のＭＡＣアドレスと特定して自動的にリストに記載してもよい。この構成では、リストが自動的に生成されるので、管理者または利用者の入力作業負担を軽減できる。
【０１１３】
Ｆ−６．変形例６：
各実施形態のＥＳＳＩＤ設定処理のステップＳ１２０において残置端末の有無を判定する際に用いられるリストは、ＭＡＣアドレスリスト格納部１２２に格納されていたが、本発明はこれに限定されるものではない。例えば、管理装置３００や、有線ＬＡＮ１１上の図示しないサーバ装置や、インターネットＩＮＴ上の図示しないサーバ装置などに格納してもよい。この構成では、ステップＳ１２０が実行される際に、リストを格納している装置と通信を行い、かかるリストを取得してもよい。または、接続している通信端末のＭＡＣアドレスを、リストを格納している装置に通知し、かかる装置において残置端末の有無を判断して、その結果を無線ＬＡＮ−ＡＰ１０１，１０１ａ，１０１ｂ，１０１ｅに通知してもよい。
【０１１４】
Ｆ−７．変形例７：
各実施形態では、無線ＬＡＮ−ＡＰ１０１，１０１ａ，１０１ｂ，１０１ｅにおいてＥＳＳＩＤが変更された場合に、変更後のＥＳＳＩＤを含む無線ＬＡＮ用プロファイルは、ＮＦＣ経由で通信端末に渡されていたが、本発明はこれに限定されるものではない。例えば、無線ＬＡＮ経由で通信端末に渡されてもよい。但し、この構成では、無線ＬＡＮ−ＡＰ１０１，１０１ａ，１０１ｂ，１０１ｅでは、ＥＳＳＩＤを変更する前に（ステップＳ１２５の前に）、変更予定のＥＳＳＩＤを含む無線ＬＡＮ用プロファイルを通信端末に送信し、その後、変更後のＥＳＳＩＤを含む無線ＬＡＮ用プロファイルを適用することを要する。また、例えば、ＵＳＢメモリなど、任意の記録媒体を用いて変更後のＥＳＳＩＤを含む無線ＬＡＮ用プロファイルを通信端末に渡すこともできる。この構成では、かかる記録媒体のリーダライタを、無線ＬＡＮ−ＡＰ１０１，１０１ａ，１０１ｂ，１０１ｅおよび通信端末が備える必要がある。
【０１１５】
また、例えば、ＡＯＳＳ（AirStation One-Touch Secure System、ＡＯＳＳは登録商標）や、ＷＰＳ（Wi-Fi Protected Setup）を利用して、変更後のＥＳＳＩＤを含む無線ＬＡＮ用プロファイルを通信端末に送信してもよい。例えば、ＡＯＳＳを利用して無線ＬＡＮ用プロファイルを送信する構成では、無線ＬＡＮ−ＡＰ１０１，１０１ａ，１０１ｂ，１０１ｅにおいて、ＥＳＳＩＤを変更する前に（ステップＳ１２５の前に）、通信端末に対して、ＡＯＳＳ処理開始を待機する旨の命令を送信し、通信端末を待機状態とする。その後、無線ＬＡＮ−ＡＰ１０１，１０１ａ，１０１ｂ，１０１ｅにおいて、ＥＳＳＩＤを変更してからＡＯＳＳを開始する。これにより、変更後のＥＳＳＩＤを含む無線ＬＡＮ用プロファイルを通信端末に渡すことができ、また、ＡＯＳＳ完了後に、通信端末は受信した無線ＬＡＮ用プロファイルを用いて無線接続を実行することができる。また、無線ＬＡＮ用プロファイルの適用は、ＮＦＣまたは無線ＬＡＮを経由した適用以外にも、不揮発性メモリを仲介して適用したり、ネットワークケーブル経由で渡して適用したり、Ｂｌｕｅｔｏｏｔｈ（登録商標）等の無線ＰＡＮ（Personal Area Network）経由で渡して適用したりすることもできる。
【０１１６】
Ｆ−８．変形例８：
各実施形態のＥＳＳＩＤ設定処理のステップＳ１２０において残置端末の有無の判定は、ＢＳＳＩリスト格納部１２２に格納されているリストを利用して実行されていたが、本発明はこれに限定されるものではない。例えば、現在無線接続されている通信端末のうち、受信信号強度が所定の閾値以下の通信端末が有る場合に残置端末が有ると特定し、受信信号強度が所定の閾値以下の通信端末が無い場合に残置端末が無いと特定してもよい。持ち出し端末は、持ち出される予定の無線ＬＡＮ−ＡＰに近い位置に利用者によって配置される可能性が高いので、かかる通信端末の受信信号強度（ＲＳＳＩ）が高い可能性が高い。これに対して、残置端末は、持ち出される予定の無線ＬＡＮ−ＡＰに対して、残置端末よりも遠い位置に配置される可能性が高いので、かかる通信端末のＲＳＳＩは低い可能性が高い。このため、上述の構成によっても、残置端末の有無を精度よく判定できる。
【０１１７】
Ｆ−９．変形例９：
各実施形態の無線接続処理のステップＳ４２０において、候補プロファイルを利用して接続可能な無線ＬＡＮ−ＡＰが存在するか否かを判定は、受信したビーコンを解析して行っていたが、本発明はこれに限定されるものではない。例えば、候補プロファイル格納部４２２に格納されている候補プロファイルを順次用いて無線接続を試みて、無線接続された場合に、接続可能な無線ＬＡＮ−ＡＰが存在すると判定してもよい。この構成では、ステップＳ４２５（該当の候補プロファイルを利用して無線ＬＡＮ−ＡＰに接続する）を省略できる。なお、この構成では、ＮＦＣ経由で取得した候補プロファイルを優先的に用いて無線接続を試みることが好ましい。こうすることで、持ち出し端末はより短時間のうちに、持ち出される無線ＬＡＮ−ＡＰとの無線接続を行うことができ、持ち出し端末の通信可能性の低下をより抑制できる。なお、この構成では、各候補プロファイルに対して優先順位を示す情報を対応付けて格納しておくことが好ましい。また、上記変形例に記載したように、記録媒体を利用して渡された無線ＬＡＮ用プロファイルや、ＡＯＳＳやＷＰＳを利用して渡された無線ＬＡＮ用プロファイルの優先順位を高く設定することが好ましい。
【０１１８】
Ｆ−１０．変形例１０：
各実施形態におけるネットワークシステムの構成は、あくまでも一例であり、種々変形可能である。例えば、無線ＬＡＮ−ＡＰ１０１，１０１ａ，１０１ｂ，１０１ｅにおいて無線ＬＡＮアクセスポイントとしての動作モードを切り替え可能であったが、切り替え不可能であってもよい。また、例えば、無線ＬＡＮ−ＡＰ１０１，１０１ａ，１０１ｂ，１０１ｅにおいて動作モードがＦａｔ−ＡＰモードで固定されていてもよい。同様に、他の無線ＬＡＮ−ＡＰ１０２，１０３においても動作モードがＦａｔ−ＡＰモードで固定されてもよい。この構成では、管理装置３００を省略することができる。また、第２実施形態において、クレードル２００は、無線ＬＡＮ−ＡＰ１０１ａを載置するためのスタンドとしての機能、無線ＬＡＮ−ＡＰ１０１ａに電力を中継する装置としての機能、および無線ＬＡＮ−ＡＰ１０１ａを有線ＬＡＮ１１に接続させるための機能を有していたが、これらのうち、いずれかの機能を省略してもよい。例えば、クレードル２００を無線ＬＡＮ−ＡＰ１０１ａを載置するためのスタンドとしての機能のみを有する装置としてもよい。この構成においても、クレードル２００への無線ＬＡＮ−ＡＰ１０１ａの装着または取り外しを検知することにより、無線ＬＡＮ−ＡＰ１０１ａの設置状態の変化または変化予測の有無を判断することができる。また、例えば、各通信端末４０１〜４０３は、いずれも多機能形態電話端末により構成されていたが、ノート型パーソナルコンピューターやタブレット型パーソナルコンピューターなど、無線ＬＡＮステーションとして動作可能な任意の装置により構成してもよい。また、例えば、各実施形態のネットワークシステム５００，５００ａ，５００ｂは、インターネットＩＮＴに接続されていたが、インターネットＩＮＴに接続されていなくてもよい。この構成では、ルータ装置１０４を省略してもよい。また、管理装置３００における無線ＬＡＮコントローラー機能を、ルータ装置１０４や無線ＬＡＮ−ＡＰ１０２，１０３が有する構成としてもよい。この構成では、管理装置３００を省略できる。また、ネットワークシステム５００，５００ａ，５００ｂにおける各構成要素の数を、任意の数にしてもよい。例えば、無線ＬＡＮ−ＡＰを、無線ＬＡＮ−ＡＰ１０１の１台のみとしてもよい。
【０１１９】
Ｆ−１１．変形例１１：
各実施形態および変形例において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【０１２０】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１２１】
１１…有線ＬＡＮ
１０１，１０１ａ，１０１ｂ，１０１ｅ…無線ＬＡＮアクセスポイント装置（無線ＬＡＮ−ＡＰ）
１０２…無線ＬＡＮアクセスポイント装置（無線ＬＡＮ−ＡＰ）
１０３…無線ＬＡＮアクセスポイント装置（無線ＬＡＮ−ＡＰ）
１０４…ルータ装置
１０５…移動体通信網
１１０…ＣＰＵ
１１１…第１ＡＰ機能部
１１２…第２ＡＰ機能部
１１３…動作モード切替部
１１４…状態変化検知部
１１５…第１装置特定部
１１６…第２装置特定部
１１７…ＥＳＳＩＤ設定部
１１８…プロファイル送信部
１１９…識別情報取得部
１２０…フラッシュＲＯＭ
１２１…無線ＬＡＮ用プロファイル格納部
１２２…ＭＡＣアドレスリスト格納部
１２５…ＲＡＭ
１３０…有線ＬＡＮ通信部
１３１…ポート
１３２…装着状態検出部
１４０…無線ＬＡＮ通信部
１５０…移動体通信部
１６０…近接無線通信部
１７０…ＮＦＣタグ用リーダライタ
１７１…ＮＦＣタグ
１８０…クレードル接続インターフェイス部
１８５…姿勢検出センサー
１９０…内部バス
２００…クレードル
２１０…無線ＬＡＮ−ＡＰ接続インターフェイス部
２２０…有線ＬＡＮ通信部
２２１…ポート
２３０…内部バス
３００…管理装置
４０１…通信端末
４０２…通信端末
４０３…通信端末
４１０…ＣＰＵ
４１１…通話制御部
４１２…ユーザインターフェイス制御部
４１３…候補プロファイル受信部
４２０…フラッシュＲＯＭ
４２１…無線ＬＡＮ用プロファイル格納部
４２２…候補プロファイル格納部
４４０…無線ＬＡＮ通信部
４５０…移動体通信部
４６０…近接無線通信部
４７０…表示部
４９０…内部バス
５００，５００ａ，５００ｂ…ネットワークシステム
６００…無線ＬＡＮアクセスポイント装置
６１０…状態変化検知部
６２０…第１装置特定部
６３０…第２装置特定部
６４０…ＥＳＳＩＤ設定部
ＩＮＴ…インターネット
【図１】
2016052023.tif 000003
【図２】
2016052023.tif 000004
【図３】
2016052023.tif 000005
【図４】
2016052023.tif 000006
【図５】
2016052023.tif 000007
【図６】
2016052023.tif 000008
【図７】
2016052023.tif 000009
【図８】
2016052023.tif 000010
【図９】
2016052023.tif 000011
【図１０】
2016052023.tif 000012
【図１１】
2016052023.tif 000013
【図１２】
2016052023.tif 000014
【図１３】
2016052023.tif 000015
【図１４】
2016052023.tif 000016
【図１５】
2016052023.tif 000017
【図１６】
2016052023.tif 000018
【図１７】
2016052023.tif 000019
【図１８】
2016052023.tif 000020
【図１９】
2016052023.tif 000021